(57)【特許請求の範囲】
【請求項１】
代金を支払う支払者の使用する支払端末と、金融機関における振込処理の依頼を受け付ける金融機関端末と、振込にかかわる情報を記憶するサーバとがネットワークを介して接続した振込支援サービスシステムであって、
前記支払端末は、
前記インターネットを介して他の端末に接続して種々の情報を表示するＷｅｂブラウザを制御するＷｅｂブラウザ制御手段を備え、
前記サーバは、
振込の実行に必要な情報である振込情報と当該振込にかかわる取引の明細である明細情報とから成る取引情報を入力する取引情報入力画面の表示を、前記支払端末から前記インターネットを介して要求された場合に、当該要求を行った前記支払端末に前記取引情報入力画面のデータを送信して、前記Ｗｅｂブラウザに当該取引情報入力画面を表示し、入力された前記取引情報を取得する取引情報取得手段と、
当該取引情報取得手段により取得した前記取引情報について、他と識別するための識別情報を割り当てる識別情報割当手段と、
当該取引情報取得手段により取得した前記取引情報を前記識別情報割当手段により割り当てられた前記識別情報と関連付けて記憶する取引情報記憶手段と、
前記取引情報入力画面を表示した前記支払端末に前記識別情報割当手段により割り当てられた前記識別情報を送信して、前記Ｗｅｂブラウザに当該識別情報を表示する識別情報表示制御手段と、
当該識別情報表示制御手段により前記識別情報を前記Ｗｅｂブラウザに表示する際に、前記金融機関端末に接続して前記振込を実行するためのＷｅｂページを前記支払端末の前記Ｗｅｂブラウザに表示させる指示を行う金融機関端末接続制御手段とを備え、
前記金融機関端末は、
前記識別情報を入力し、前記サーバの取引情報記憶手段に記憶されている前記取引情報の取得を指示する取得指示画面のデータを、前記取引情報入力画面を表示した前記支払端末に送信して、前記Ｗｅｂブラウザに当該取得指示画面を表示し、前記取引情報の取得の指示が行われた場合に入力された前記識別情報を取得する取得指示受付手段と、
当該取得指示受付手段により取得された前記識別情報に対応して前記サーバ情報記憶手段に記憶されている前記取引情報の取得を依頼する依頼情報を前記サーバへ送信する依頼情報送信手段とを備え、
さらに、前記サーバは、
前記依頼情報送信手段から送信された前記依頼情報を受信する依頼情報受信手段と、
当該依頼情報受信手段により前記依頼情報を受信した場合には、当該依頼情報に示されている前記識別情報に対応して前記取引情報記憶手段に記憶されている前記取引情報を抽出する取引情報抽出手段と、
当該取引情報抽出手段により抽出された前記取引情報である抽出情報を前記金融機関端末へ送信する抽出情報送信手段とを備え、
さらに、前記金融機関端末は、
前記抽出情報送信手段から送信された前記抽出情報を受信する抽出情報受信手段と、
当該抽出情報受信手段により受信した前記抽出情報の前記振込情報を反映させた振込を実行するための振込画面のデータを、前記取得指示画面を表示した前記支払端末に送信して、前記Ｗｅｂブラウザに前記振込画面を表示させる振込画面表示制御手段と、
当該振込画面に表示されている内容の振込を実行する振込手段と、
前記振込手段による振込の結果を前記サーバへ送信する第１振込結果送信手段とを備え、
さらに、前記サーバは、
前記振込結果送信手段により送信された前記振込の結果を受信する第１振込結果受信手段と、
当該振込結果受信手段により受信した前記振込の結果が振込の受付を意味するものであった場合には、前記抽出情報を振込済情報として記憶する振込済情報記憶手段とを備えたことを特徴とする振込支援サービスシステム。
【請求項２】
前記金融機関端末は、前記振込手段による振込の結果のデータを、前記振込画面を表示した前記支払端末に送信して、前記Ｗｅｂブラウザに当該振込の結果を表示させる振込結果表示制御手段を備えたことを特徴とする請求項１に記載の振込支援サービスシステム。
【請求項３】
前記サーバは、振込済情報記憶手段に記憶されている前記振込済情報の表示を前記支払端末から要求された場合に、前記振込済情報のうちの少なくとも前記明細情報を記載した振込済情報表示画面のデータを、当該要求を行った前記支払端末に送信して、前記Ｗｅｂブラウザに前記振込済情報表示画面を表示する振込済情報表示制御手段を備えたことを特徴とする請求項１又は２に記載の振込支援サービスシステム。
【請求項４】
前記サーバの前記振込済情報表示制御手段は、
いずれの口座に関する振込済情報を表示するかを指定する口座情報を入力する口座情報入力画面のデータを、前記振込済情報の表示の要求を行った前記支払端末に送信して、前記Ｗｅｂブラウザに当該口座情報入力画面を表示し、入力された前記口座情報を取得する口座情報取得手段と、
当該口座情報取得手段により取得された口座情報の指定する口座の入金明細、出金明細、振込出金明細、振込取引明細、及び、振込入金明細のうちの少なくとも一種類の明細の取得を要求する明細要求情報を前記金融機関端末へ送信する明細要求情報送信手段と、
前記金融機関端末から送信された前記口座明細を受信する口座明細受信手段と、
当該口座明細受信手段により受信された前記口座明細の各明細に対応する前記振込済情報を前記振込済情報記憶手段から抽出する振込済情報抽出手段とを備え、
当該振込済情報抽出手段により抽出された前記振込済情報を前記振込済情報表示画面に記載し、
前記金融機関端末は、
前記明細要求情報送信手段から前記明細要求情報を受信する明細要求情報受信手段と、
当該明細要求情報受信手段が受信した前記明細要求情報に指示されている前記口座情報の指定する口座について指示されている種類の明細を抽出する口座明細抽出手段と、
当該口座明細抽出手段により抽出された明細である口座明細を前記サーバの前記口座明細受信手段へ送信する口座明細送信手段とを備えたこと特徴とする請求項３に記載の振込支援サービスシステム。
【請求項５】
前記サーバは、
振込済情報記憶手段に記憶されている前記振込済情報の削除を前記支払端末から要求された場合に、前記振込済情報記憶手段に記憶されている前記振込済情報のうちいずれの振込済情報を削除するかを指定する削除情報を入力する削除画面のデータを、前記支払端末に送信して、前記Ｗｅｂブラウザに当該削除画面を表示し、入力された削除情報を取得する削除明細取得手段と、
当該削除明細取得手段により取得された前記削除情報に指定されている前記振込済情報を前記振込済情報記憶手段から削除する振込済情報削除手段とを備えたことを特徴とする請求項１乃至４のいずれかに記載の振込支援サービスシステム。
【請求項６】
前記サーバ又は前記サーバにネットワークを介して接続可能な仕訳端末が、
借方及び貸方の勘定科目である決定属性と会計取引に関する種々の関連項目である条件属性とに基づいて会計処理における取引についてのデータを分類するためのルールである述語論理式を記憶する述語論理式記憶手段と、
請求項１乃至５のいずれかに記載の振込支援サービスにおける前記サーバの前記振込済情報記憶手段に記憶されている前記振込済情報の前記明細情報の各明細について前記述語論理式記憶手段に記憶されている前記述語論理式に基づいて仕訳を行う仕訳手段と、
当該仕訳手段により仕訳された結果を記憶する仕訳結果記憶手段とを備えたことを特徴とする会計仕訳システム。
【請求項７】
前記サーバ又は前記サーバにネットワークを介して接続可能な仕訳端末は、
当該サーバ又は当該仕訳端末にネットワークを介して接続可能である、前記支払端末又は代金の支払を請求する請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報の明細情報を仕訳するかを指定する仕訳明細情報を入力する仕訳明細指定画面のデータを、前記支払端末又は前記請求端末に送信して、前記Ｗｅｂブラウザに当該仕訳明細指定画面を表示し、入力された仕訳明細情報を取得する仕訳明細取得手段と、
当該仕訳明細取得手段により取得された前記仕訳明細情報の指定する前記明細情報の各明細について前記仕訳手段により仕訳を行う仕訳制御手段と、
前記仕訳手段によって仕訳され前記仕訳結果記憶手段に記憶された仕訳結果を、仕訳の要求を行った前記支払端末又は前記請求端末に出力する仕訳結果出力手段とを備えたことを特徴とする請求項６に記載の会計仕訳システム。
【請求項８】
インターネットを介して他の端末に接続して種々の情報を表示するＷｅｂブラウザを制御するＷｅｂブラウザ制御手段を備えた支払端末と、金融機関における振込処理の依頼を受け付ける金融機関端末とにネットワークを介して接続し、振込にかかわる情報を記憶するサーバであって、
振込の実行に必要な情報である振込情報と当該振込にかかわる取引の明細である明細情報とから成る取引情報を入力する取引情報入力画面の表示を前記支払端末から前記インターネットを介して要求された場合に、当該要求を行った前記支払い端末に前記取引情報入力画面のデータを送信して、前記Ｗｅｂブラウザに当該取引情報入力画面を表示し、入力された前記取引情報を取得する取引情報取得手段と、
当該取引情報取得手段により取得した前記取引情報について、他と識別するための識別情報を割り当てる識別情報割当手段と、
当該取引情報取得手段により取得した前記取引情報を前記識別情報割当手段により割り当てられた前記識別情報と関連付けて記憶する取引情報記憶手段と、
前記取引情報入力画面を表示した前記支払端末に前記識別情報割当手段により割り当てられた前記識別情報を送信して前記Ｗｅｂブラウザに前記識別情報を表示する識別情報表示制御手段と、
当該識別情報表示制御手段により前記識別情報を前記Ｗｅｂブラウザに表示する際に、前記金融機関端末に接続して前記振込を実行するためのＷｅｂページを前記支払端末の前記Ｗｅｂブラウザに表示させる指示を行う金融機関端末接続制御手段と、
前記金融機関端末から送信される、前記支払端末の前記Ｗｅｂブラウザにおいて入力された前記識別情報に対応して前記サーバの取引情報記憶手段に記憶されている前記取引情報の取得を依頼する依頼情報を受信する依頼情報受信手段と、
当該依頼情報受信手段により前記依頼情報を受信した場合には、当該依頼情報に示されている前記識別情報に対応して前記取引情報記憶手段に記憶されている前記取引情報を抽出する取引情報抽出手段と、
当該取引情報報抽出手段により抽出された前記取引情報である抽出情報を前記金融機関端末へ送信する抽出情報送信手段と、
前記金融機関端末により送信される、前記抽出情報の前記振込情報に示された振込の実施の結果を受信する第１振込結果受信手段と、
当該振込結果受信手段により受信した前記振込の結果が振込の受付を意味するものであった場合には、前記抽出情報を振込済情報として記憶する振込済情報記憶手段とを備えたことを特徴とするサーバ。
【請求項９】
振込済情報記憶手段に記憶されている前記振込済情報の表示を前記支払端末から要求された場合に、前記振込済情報のうちの少なくとも前記明細情報を記載した振込済情報表示画面のデータを、当該要求を行った前記支払端末に送信して、前記Ｗｅｂブラウザに当該振込済情報表示画面を表示する振込済情報表示制御手段を備えたことを特徴とする請求項８に記載のサーバ。
【請求項１０】
前記サーバの前記振込済情報表示制御手段は、
いずれの口座に関する振込済情報を表示するかを指定する口座情報を入力する口座情報入力画面のデータを、前記振込済情報の表示の要求を行った前記支払端末に送信して、前記Ｗｅｂブラウザに当該口座情報入力画面を表示し、入力された前記口座情報を取得する口座情報取得手段と、
当該口座情報取得手段により取得された口座情報の指定する口座の入金明細、出金明細、振込出金明細、振込取引明細、及び、振込入金明細のうちの少なくとも一種類の明細の取得を要求する明細要求情報を前記金融機関端末へ送信する明細要求情報送信手段と、
前記金融機関端末から送信された前記口座明細を受信する口座明細受信手段と、
当該口座明細受信手段により受信された前記口座明細の各明細に対応する前記振込済情報を前記振込済情報記憶手段から抽出する振込済情報抽出手段とを備え、
当該振込済情報抽出手段により抽出された前記振込済情報を前記振込済情報表示画面に記載すること特徴とする請求項９に記載のサーバ。
【請求項１１】
振込済情報記憶手段に記憶されている前記振込済情報の削除を前記支払端末から要求された場合に、前記振込済情報記憶手段に記憶されている前記振込済情報のうちいずれの振込済情報を削除するかを指定する削除情報を入力する削除画面のデータを、前記支払端末に送信して、前記Ｗｅｂブラウザに当該削除画面を表示し、入力された削除情報を取得する削除明細取得手段と、
当該削除明細取得手段により取得された前記削除情報に指定されている前記振込済情報を前記振込済情報記憶手段から削除する振込済情報削除手段とを備えたことを特徴とする請求項８乃至１０のいずれかに記載のサーバ。
【請求項１２】
借方及び貸方の勘定科目である決定属性と会計取引に関する種々の関連項目である条件属性とに基づいて会計処理における取引についてのデータを分類するためのルールである述語論理式を記憶する述語論理式記憶手段と、
前記振込済情報記憶手段に記憶されている前記振込済情報の前記明細情報の各明細について前記述語論理式記憶手段に記憶されている述語論理式に基づいて仕訳を行う仕訳手段と、
当該仕訳手段により仕訳された結果を記憶する仕訳結果記憶手段とを備えたことを特徴とする請求項８乃至１１のいずれかに記載のサーバ。
【請求項１３】
前記サーバにネットワークを介して接続可能であり、前記支払端末又は代金の支払を請求し代金を受け取る請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報の明細情報を仕訳するかを指定する仕訳明細情報を入力する仕訳明細指定画面のデータを、前記支払端末又は前記請求端末に送信して、前記Ｗｅｂブラウザに当該仕訳明細指定画面を表示し、入力された仕訳明細情報を取得する仕訳明細取得手段と、
当該仕訳明細取得手段により取得された前記仕訳明細情報の指定する前記明細情報の各明細について前記仕訳手段により仕訳を行う仕訳制御手段と、
前記仕訳手段によって仕訳され前記仕訳結果記憶手段に記憶された仕訳結果を、仕訳の要求を行った前記支払端末又は前記請求端末に出力する仕訳結果出力手段とを備えたことを特徴とする請求項１２に記載のサーバ。
【請求項１４】
請求項８乃至１１のいずれかに記載のサーバにネットワークを介して接続可能な仕訳端末であって、
借方及び貸方の勘定科目である決定属性と会計取引に関する種々の関連項目である条件属性とに基づいて会計処理における取引についてのデータを分類するためのルールである述語論理式を記憶する述語論理式記憶手段と、
前記サーバの前記振込済情報記憶手段に記憶されている前記振込済情報の前記明細情報の各明細について前記述語論理式記憶手段に記憶されている述語論理式に基づいて仕訳を行う仕訳手段と、
当該仕訳手段により仕訳された結果を記憶する仕訳結果記憶手段とを備えたことを特徴とする仕訳端末。
【請求項１５】
前記仕訳端末にネットワークを介して接続可能であり、前記支払端末又は代金の支払を請求し代金を受け取る請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報を仕訳するかを指定する仕訳明細情報を入力する仕訳明細指定画面のデータを、前記支払端末又は前記請求端末に送信して、前記Ｗｅｂブラウザに当該仕訳明細指定画面を表示し、入力された仕訳明細情報を取得する仕訳明細取得手段と、
当該仕訳明細取得手段により取得された前記仕訳明細情報の指定する前記明細情報の各明細について前記仕訳手段により仕訳を行う仕訳制御手段と、
前記仕訳手段によって仕訳され前記仕訳結果記憶手段に記憶された仕訳結果を、仕訳の要求を行った前記支払端末又は前記請求端末に出力する仕訳結果出力手段とを備えたことを特徴とする請求項１４に記載の仕訳端末。
【請求項１６】
インターネットを介して他の端末に接続して種々の情報を表示するＷｅｂブラウザを制御するＷｅｂブラウザ制御手段を備えた支払端末と、振込にかかわる情報を記憶するサーバとにネットワークを介して接続した、金融機関における振込処理の依頼を受け付ける金融機関端末であって、
前記支払端末から前記サーバへ入力され、当該サーバに記憶された、振込の実行に必要な情報である振込情報と当該振込にかかわる取引の明細である明細情報とから成る取引情報について、当該サーバにおいて他の取引情報と識別するための識別番号が割り当てられており、
前記識別情報を入力して前記サーバに記憶されている前記取引情報の取得を指示する取得指示画面のデータを前記支払端末に送信して、前記Ｗｅｂブラウザに当該取得指示画面を表示し、前記支払端末から前記取引情報の取得の指示が行われた場合に入力された前記識別情報を取得する取得指示受付手段と、
当該取得指示受付手段により取得された前記識別情報に対応して前記サーバに記憶されている前記取引情報の取得を依頼する依頼情報を前記サーバへ送信する依頼情報送信手段と、
当該依頼情報送信手段により送信された前記依頼情報に示されている前記識別情報に対応して前記サーバに記憶されていた前記取引情報である抽出情報を前記サーバから受信する抽出情報受信手段と、
当該抽出情報受信手段により受信した前記抽出情報の前記振込情報に示された振込を実行するための振込画面のデータを前記支払端末に送信して、前記Ｗｅｂブラウザに当該振込画面を表示させる振込画面表示制御手段と、
当該振込画面に表示されている内容の振込を実行する振込手段と、
前記振込手段により振込を実行した結果を前記サーバへ送信する第１振込結果送信手段とを備えたことを特徴とする金融機関端末。
【請求項１７】
前記振込手段による振込の結果のデータを、前記振込画面を表示した前記支払端末に送信して、前記Ｗｅｂブラウザに当該振込の結果を表示させる振込結果表示制御手段を備えたことを特徴とする請求項１６に記載の金融機関端末。
【請求項１８】
インターネットを介して他の端末に接続して種々の情報を表示するＷｅｂブラウザを制御するＷｅｂブラウザ制御手段を備えた支払端末と、金融機関における振込処理の依頼を受け付ける金融機関端末とにネットワークを介して接続し、振込にかかわる情報を記憶するサーバで作動するプログラムであって、
振込の実行に必要な情報である振込情報と当該振込にかかわる取引の明細である明細情報とから成る取引情報を入力する取引情報入力画面の表示を前記支払端末から前記インターネットを介して要求された場合に、当該要求を行った前記支払端末に前記取引情報入力画面のデータを送信して、前記Ｗｅｂブラウザに当該取引情報入力画面を表示し、入力された前記取引情報を取得する取引情報取得ステップと、
当該取引情報取得ステップにより取得した前記取引情報について、他と識別するための識別情報を割り当てる識別情報割当ステップと、
当該取引情報取得ステップにより取得した前記取引情報を前記識別情報割当ステップにより割り当てられた前記識別情報と関連付けて取引情報記憶手段に記憶する取引情報記憶ステップと、
前記取引情報入力画面を表示した前記支払端末に前記識別情報割当ステップにより割り当てられた前記識別情報を送信して前記Ｗｅｂブラウザに前記識別情報を表示する識別情報表示制御ステップと、
当該識別情報表示制御ステップにより前記識別情報を前記Ｗｅｂブラウザに表示する際に、前記金融機関端末に接続して前記振込を実行するためのＷｅｂページを前記支払端末の前記Ｗｅｂブラウザに表示させる指示を行う金融機関端末接続制御ステップと、
前記金融機関端末から送信される、前記支払端末の前記Ｗｅｂブラウザにおいて入力された前記識別情報に対応して前記サーバの取引情報記憶手段に記憶されている前記取引情報の取得を依頼する依頼情報を受信する依頼情報受信ステップと、
当該依頼情報受信ステップにより前記依頼情報を受信した場合には、当該依頼情報に示されている前記識別情報に対応して前記取引情報記憶手段に記憶されている前記取引情報を抽出する取引情報抽出ステップと、
当該取引情報報抽出ステップにより抽出された前記取引情報である抽出情報を前記金融機関端末へ送信する抽出情報送信ステップと、
前記金融機関端末により送信される、前記抽出情報の前記振込情報に示された振込の実施の結果を受信する第１振込結果受信ステップと、
当該振込結果受信ステップにより受信した前記振込の結果が振込の受付を意味するものであった場合には、前記抽出情報を振込済情報として振込済情報記憶手段に記憶する振込済情報記憶ステップとを前記サーバに実行させることを特徴とするプログラム。
【請求項１９】
振込済情報記憶手段に記憶されている前記振込済情報の表示を前記支払端末から要求された場合に、前記振込済情報を記載した振込済情報表示画面のデータを、当該要求を行った前記支払端末に送信して、前記Ｗｅｂブラウザに前記振込済情報表示画面を表示する振込済情報表示制御ステップを前記サーバに実行させることを特徴とする請求項１８に記載のプログラム。
【請求項２０】
前記サーバの前記振込済情報表示制御ステップは、
いずれの口座に関する振込済情報を表示するかを指定する口座情報を入力する口座情報入力画面のデータを、前記振込済情報の表示の要求を行った前記支払端末に送信して、前記Ｗｅｂブラウザに前記情報入力画面を表示し、入力された前記口座情報を取得する口座情報取得ステップと、
当該口座情報取得ステップにより取得された口座情報の指定する口座の入金明細、出金明細、振込出金明細、振込取引明細、及び、振込入金明細のうちの少なくとも一種類の明細の取得を要求する明細要求情報を前記金融機関端末へ送信する明細要求情報送信ステップと、
前記金融機関端末から送信された前記口座明細を受信する口座明細受信ステップと、
当該口座明細受信ステップにより受信された前記口座明細の各明細に対応する前記振込済情報を前記振込済情報記憶手段から抽出する振込済情報抽出ステップとを前記サーバに実行させ、
当該振込済情報抽出ステップにより抽出された前記振込済情報を前記振込済情報表示画面に記載させること特徴とする請求項１９に記載のプログラム。
【請求項２１】
振込済情報記憶手段に記憶されている前記振込済情報の削除を前記支払端末から要求された場合に、前記振込済情報記憶手段に記憶されている前記振込済情報のうちいずれの振込済情報を削除するかを指定する削除情報を入力する削除画面のデータを、前記支払端末に送信して、前記Ｗｅｂブラウザに当該削除画面を表示し、入力された削除情報を取得する削除明細取得ステップと、
当該削除明細取得ステップにより取得された前記削除情報に指定されている前記振込済情報を前記振込済情報記憶手段から削除する振込済情報削除ステップとを前記サーバに実行させることを特徴とする請求項１８乃至２０のいずれかに記載のプログラム。
【請求項２２】
振込済情報記憶手段に記憶されている前記振込済情報の前記明細情報の各明細について、借方及び貸方の勘定科目である決定属性と会計取引に関する種々の関連項目である条件属性とに基づいて会計処理における取引についてのデータを分類するためのルールである述語論理式に基づいて仕訳を行う仕訳ステップと、
当該仕訳ステップにより仕訳された結果を仕訳結果記憶手段に記憶する仕訳結果記憶ステップとを前記サーバに実行させることを特徴とする請求項１８乃至２０のいずれかに記載のプログラム。
【請求項２３】
前記サーバにネットワークを介して接続可能であり、代金を支払う支払者の使用する支払端末又は代金の支払を請求し代金を受け取る請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報の明細情報を仕訳するかを指定する仕訳明細情報を入力する仕訳明細指定画面のデータを、前記支払端末に送信して、前記Ｗｅｂブラウザに当該仕訳明細指定画面を表示し、入力された仕訳明細情報を取得する仕訳明細取得ステップと、
当該仕訳明細取得ステップにより取得された前記仕訳明細情報の指定する前記明細情報の各明細について前記仕訳ステップにより仕訳を行う仕訳制御ステップと、
前記仕訳ステップに仕訳され前記仕訳結果記憶手段に記憶された仕訳結果を、仕訳の要求を行った前記支払端末又は前記請求端末に出力する仕訳結果出力ステップとを前記サーバに実行させることを特徴とする請求項２２に記載のプログラム。
【請求項２４】
インターネットを介して他の端末に接続して種々の情報を表示するＷｅｂブラウザを備えた支払端末と、振込にかかわる情報を記憶するサーバとにネットワークを介して接続した、金融機関における振込処理の依頼を受け付ける金融機関端末で作動するプログラムであって、
前記支払端末から前記サーバへ入力され、当該サーバに記憶された、振込の実行に必要な情報である振込情報と当該振込にかかわる取引の明細である明細情報とから成る取引情報について、当該サーバにおいて他の取引情報と識別するための識別番号が割り当てられ、前記識別情報を入力し、前記サーバに記憶されている前記取引情報の取得を指示する取得指示画面のデータを前記支払い端末に送信して、前記Ｗｅｂブラウザに当該取得指示画面を表示し、前記取引情報の取得の指示が行われた場合に入力された前記識別情報を取得する取得指示受付ステップと、
当該取得指示受付ステップにより取得された前記識別情報に対応して前記サーバに記憶されている前記取引情報の取得を依頼する依頼情報を前記サーバへ送信する依頼情報送信ステップと、
当該依頼情報送信ステップにより送信された前記依頼情報に示されている前記識別情報に対応して前記サーバに記憶されていた前記取引情報である抽出情報を前記サーバから受信する抽出情報受信ステップと、
当該抽出情報受信ステップにより受信した前記抽出情報の前記振込情報に示された振込を実行するための振込画面のデータを前記支払端末に送信して、前記Ｗｅｂブラウザに当該振込画面を表示させる振込画面表示制御ステップと、
当該振込画面に表示されている内容の振込を実行する振込ステップと、
前記振込ステップにより振込を実行した結果を前記サーバへ送信する第１振込結果送信ステップとを前記金融機関端末に実行させることを特徴とするプログラム。
【請求項２５】
前記振込ステップにより振込の結果のデータを、前記振込画面を表示した前記支払端末に送信して、前記Ｗｅｂブラウザに当該振込の結果を表示させる振込結果表示制御ステップを前記金融機関端末に実行させることを特徴とする請求項２３に記載のプログラム。
【発明の詳細な説明】
【技術分野】
【０００１】
本発明は振込支援サービスシステム、会計仕訳システム、サーバ、仕訳端末、金融機関端末及びプログラムに関し、詳細には、金融機関を利用した商取引の支払いについて、商取引と関連づけて金融機関取引を行う振込支援サービスシステム、サーバ、仕訳端末、金融機関端末及びプログラム、商取引と関連づけて行われた金融機関取引についての仕訳処理を行う会計仕訳システムに関する。
【背景技術】
【０００２】
従来、企業の会計処理において、取引先からの銀行振込や郵便振替、取引先への銀行振込や郵便振替による支払が行われる場合に、その支払がどの商取引に対する支払であるかを特定することが、経理担当者の手間となっていた。そこで、特許文献１に記載の発明の銀行振込の手続方法のように、請求者が支払を請求する明細をＷｅｂサーバに登録して、支払者が登録された明細に対して振込を実行するような方法も提案されている。また、特許文献２に記載の発明の決済管理システムでは、請求者がエージェントに明細を登録し、支払者により登録された明細から支払いを実行する明細が選択され、エージェントにより振込が実行される。また、エージェントでは、請求者の売掛明細の取得や消し込み、支払者の買掛明細の取得や消し込みも行われている。また、特許文献３に記載の振込処理方法では、請求明細に請求照会キーが割り当てられており、支払者は請求照会キーを入力することにより、請求者により銀行に登録されている請求明細についての振込内容を確認して、振込を実行している。請求照会キーは銀行から請求者に対して行われる入金通知に記載されおり、請求者にいずれの請求明細の支払が行われたかがわかるようになっている。
【０００３】
また、本出願人は、特願２００４−３７８６２８の特許出願により、複数属性を有する事象であって、前提条件等の背景知識を持った事象に関して、ラフ集合理論を用いて、所定の属性に基づいて各事象についてのデータを分類するためのルールである述語論理式を作成する述語論理式作成装置及び述語論理式作成プログラムを提案し、事象を会計処理における取引として会計取引を勘定科目に仕訳する述語論理式を作成する会計仕訳ルール作成装置、当該会計仕訳ルール作成装置で作成された述語論理式を用いて会計処理において発生する個々の取引を仕訳する会計仕訳装置も提案している。
【０００４】
また、従来から、企業のコンピュータをインターネットや電話回線を通じて金融機関のコンピュータに接続して、振込処理や残高照会、入出金照会等の金融取引を行うファームバンキング（ｆｉｒｍ  ｂａｎｋｉｎｇ）が利用されている。
【特許文献１】特開２００２−０３２５８５号公報
【特許文献２】特開２００２−０８３１２５号公報
【特許文献３】特開２００３−０５０９６１号公報
【発明の開示】
【発明が解決しようとする課題】
【０００５】
しかしながら、会計処理では総勘定元帳や損益計算書等の最終的な会計書類を作成しなければならず、これらの書類を作成する過程において、振込取引が行われた商取引について各取引物品について会計上の仕訳処理を行う必要が生じる。ところが、通常、請求書は会計処理における品目ごとに作成されるわけではなく、商取引ごとに作成され、複数の商品やサービスについて作成されるため、特許文献１〜３に記載の発明の方法やシステムでは、振込取引がどの請求書に応じたものであるかが分かるのみであり、個々の商品やサービスについての仕訳処理については別途行う手間が係るという問題点があった。
【０００６】
本発明は、上述の課題を解決するためになされたものであり、金融機関を利用した商取引の支払いについて、商取引と関連づけて金融機関取引を行う振込支援サービスシステム、サーバ、仕訳端末、金融機関端末及びプログラム、商取引と関連づけて行われた金融機関取引についての仕訳処理を行う会計仕訳システムを提供することを目的とする。
【課題を解決するための手段】
【０００７】
上記課題を解決するため、請求項１に係る発明の振込支援サービスシステムでは、代金を支払う支払者の使用する支払端末と、金融機関における振込処理の依頼を受け付ける金融機関端末と、振込にかかわる情報を記憶するサーバとがネットワークを介して接続した振込支援サービスシステムであって、前記支払端末は、前記インターネットを介して他の端末に接続して種々の情報を表示するＷｅｂブラウザを制御するＷｅｂブラウザ制御手段を備え、前記サーバは、振込の実行に必要な情報である振込情報と当該振込にかかわる取引の明細である明細情報とから成る取引情報を入力する取引情報入力画面の表示を、前記支払端末から前記インターネットを介して要求された場合に、当該要求を行った前記支払端末に前記取引情報入力画面のデータを送信して、前記Ｗｅｂブラウザに当該取引情報入力画面を表示し、入力された前記取引情報を取得する取引情報取得手段と、当該取引情報取得手段により取得した前記取引情報について、他と識別するための識別情報を割り当てる識別情報割当手段と、当該取引情報取得手段により取得した前記取引情報を前記識別情報割当手段により割り当てられた前記識別情報と関連付けて記憶する取引情報記憶手段と、前記取引情報入力画面を表示した前記支払端末に前記識別情報割当手段により割り当てられた前記識別情報を送信して、前記Ｗｅｂブラウザに当該識別情報を表示する識別情報表示制御手段と、当該識別情報表示制御手段により前記識別情報を前記Ｗｅｂブラウザに表示する際に、前記金融機関端末に接続して前記振込を実行するためのＷｅｂページを前記支払端末の前記Ｗｅｂブラウザに表示させる指示を行う金融機関端末接続制御手段とを備え、前記金融機関端末は、前記識別情報を入力し、前記サーバの取引情報記憶手段に記憶されている前記取引情報の取得を指示する取得指示画面のデータを、前記取引情報入力画面を表示した前記支払端末に送信して、前記Ｗｅｂブラウザに当該取得指示画面を表示し、前記取引情報の取得の指示が行われた場合に入力された前記識別情報を取得する取得指示受付手段と、当該取得指示受付手段により取得された前記識別情報に対応して前記サーバ情報記憶手段に記憶されている前記取引情報の取得を依頼する依頼情報を前記サーバへ送信する依頼情報送信手段とを備え、さらに、前記サーバは、前記依頼情報送信手段から送信された前記依頼情報を受信する依頼情報受信手段と、当該依頼情報受信手段により前記依頼情報を受信した場合には、当該依頼情報に示されている前記識別情報に対応して前記取引情報記憶手段に記憶されている前記取引情報を抽出する取引情報抽出手段と、当該取引情報抽出手段により抽出された前記取引情報である抽出情報を前記金融機関端末へ送信する抽出情報送信手段とを備え、さらに、前記金融機関端末は、前記抽出情報送信手段から送信された前記抽出情報を受信する抽出情報受信手段と、当該抽出情報受信手段により受信した前記抽出情報の前記振込情報を反映させた振込を実行するための振込画面のデータを、前記取得指示画面を表示した前記支払端末に送信して、前記Ｗｅｂブラウザに前記振込画面を表示させる振込画面表示制御手段と、当該振込画面に表示されている内容の振込を実行する振込手段と、前記振込手段による振込の結果を前記サーバへ送信する第１振込結果送信手段とを備え、さらに、前記サーバは、前記振込結果送信手段により送信された前記振込の結果を受信する第１振込結果受信手段と、当該振込結果受信手段により受信した前記振込の結果が振込の受付を意味するものであった場合には、前記抽出情報を振込済情報として記憶する振込済情報記憶手段とを備えたことを特徴とする。
【０００８】
また、請求項２に係る発明の振込支援サービスシステムでは、請求項１に記載の発明の構成に加えて、前記金融機関端末は、前記振込手段による振込の結果のデータを、前記振込画面を表示した前記支払端末に送信して、前記Ｗｅｂブラウザに当該振込の結果を表示させる振込結果表示制御手段を備えたことを特徴とする。
【０００９】
また、請求項３に係る発明の振込支援サービスシステムでは、請求項１又は２に記載の発明の構成に加えて、前記サーバは、振込済情報記憶手段に記憶されている前記振込済情報の表示を前記支払端末から要求された場合に、前記振込済情報のうちの少なくとも前記明細情報を記載した振込済情報表示画面のデータを、当該要求を行った前記支払端末に送信して、前記Ｗｅｂブラウザに前記振込済情報表示画面を表示する振込済情報表示制御手段を備えたことを特徴とする。
【００１０】
また、請求項４に係る発明の振込支援サービスシステムでは、請求項３に記載の発明の構成に加えて、前記サーバの前記振込済情報表示制御手段は、いずれの口座に関する振込済情報を表示するかを指定する口座情報を入力する口座情報入力画面のデータを、前記振込済情報の表示の要求を行った前記支払端末に送信して、前記Ｗｅｂブラウザに当該口座情報入力画面を表示し、入力された前記口座情報を取得する口座情報取得手段と、当該口座情報取得手段により取得された口座情報の指定する口座の入金明細、出金明細、振込出金明細、振込取引明細、及び、振込入金明細のうちの少なくとも一種類の明細の取得を要求する明細要求情報を前記金融機関端末へ送信する明細要求情報送信手段と、前記金融機関端末から送信された前記口座明細を受信する口座明細受信手段と、当該口座明細受信手段により受信された前記口座明細の各明細に対応する前記振込済情報を前記振込済情報記憶手段から抽出する振込済情報抽出手段とを備え、当該振込済情報抽出手段により抽出された前記振込済情報を前記振込済情報表示画面に記載し、前記金融機関端末は、前記明細要求情報送信手段から前記明細要求情報を受信する明細要求情報受信手段と、当該明細要求情報受信手段が受信した前記明細要求情報に指示されている前記口座情報の指定する口座について指示されている種類の明細を抽出する口座明細抽出手段と、当該口座明細抽出手段により抽出された明細である口座明細を前記サーバの前記口座明細受信手段へ送信する口座明細送信手段とを備えたこと特徴とする。
【００１１】
また、請求項５に係る発明の振込支援サービスシステムでは、請求項１乃至４のいずれかに記載の発明の構成に加えて、前記サーバは、振込済情報記憶手段に記憶されている前記振込済情報の削除を前記支払端末から要求された場合に、前記振込済情報記憶手段に記憶されている前記振込済情報のうちいずれの振込済情報を削除するかを指定する削除情報を入力する削除画面のデータを、前記支払端末に送信して、前記Ｗｅｂブラウザに当該削除画面を表示し、入力された削除情報を取得する削除明細取得手段と、当該削除明細取得手段により取得された前記削除情報に指定されている前記振込済情報を前記振込済情報記憶手段から削除する振込済情報削除手段とを備えたことを特徴とする。
【００１２】
また、請求項６に係る発明の会計仕訳システムでは、前記サーバ又は前記サーバにネットワークを介して接続可能な仕訳端末が、借方及び貸方の勘定科目である決定属性と会計取引に関する種々の関連項目である条件属性とに基づいて会計処理における取引についてのデータを分類するためのルールである述語論理式を記憶する述語論理式記憶手段と、請求項１乃至５のいずれかに記載の振込支援サービスにおける前記サーバの前記振込済情報記憶手段に記憶されている前記振込済情報の前記明細情報の各明細について前記述語論理式記憶手段に記憶されている前記述語論理式に基づいて仕訳を行う仕訳手段と、当該仕訳手段により仕訳された結果を記憶する仕訳結果記憶手段とを備えたことを特徴とする。
【００１３】
また、請求項７に係る発明の会計仕訳システムでは、請求項６に記載の発明の構成に加えて、前記サーバ又は前記サーバにネットワークを介して接続可能な仕訳端末は、当該サーバ又は当該仕訳端末にネットワークを介して接続可能である、前記支払端末又は代金の支払を請求する請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報の明細情報を仕訳するかを指定する仕訳明細情報を入力する仕訳明細指定画面のデータを、前記支払端末又は前記請求端末に送信して、前記Ｗｅｂブラウザに当該仕訳明細指定画面を表示し、入力された仕訳明細情報を取得する仕訳明細取得手段と、当該仕訳明細取得手段により取得された前記仕訳明細情報の指定する前記明細情報の各明細について前記仕訳手段により仕訳を行う仕訳制御手段と、前記仕訳手段によって仕訳され前記仕訳結果記憶手段に記憶された仕訳結果を、仕訳の要求を行った前記支払端末又は前記請求端末に出力する仕訳結果出力手段とを備えたことを特徴とする。
【００１４】
また、請求項８に係る発明のサーバでは、インターネットを介して他の端末に接続して種々の情報を表示するＷｅｂブラウザを制御するＷｅｂブラウザ制御手段を備えた支払端末と、金融機関における振込処理の依頼を受け付ける金融機関端末とにネットワークを介して接続し、振込にかかわる情報を記憶するサーバであって、振込の実行に必要な情報である振込情報と当該振込にかかわる取引の明細である明細情報とから成る取引情報を入力する取引情報入力画面の表示を前記支払端末から前記インターネットを介して要求された場合に、当該要求を行った前記支払い端末に前記取引情報入力画面のデータを送信して、前記Ｗｅｂブラウザに当該取引情報入力画面を表示し、入力された前記取引情報を取得する取引情報取得手段と、当該取引情報取得手段により取得した前記取引情報について、他と識別するための識別情報を割り当てる識別情報割当手段と、当該取引情報取得手段により取得した前記取引情報を前記識別情報割当手段により割り当てられた前記識別情報と関連付けて記憶する取引情報記憶手段と、前記取引情報入力画面を表示した前記支払端末に前記識別情報割当手段により割り当てられた前記識別情報を送信して前記Ｗｅｂブラウザに前記識別情報を表示する識別情報表示制御手段と、当該識別情報表示制御手段により前記識別情報を前記Ｗｅｂブラウザに表示する際に、前記金融機関端末に接続して前記振込を実行するためのＷｅｂページを前記支払端末の前記Ｗｅｂブラウザに表示させる指示を行う金融機関端末接続制御手段と、前記金融機関端末から送信される、前記支払端末の前記Ｗｅｂブラウザにおいて入力された前記識別情報に対応して前記サーバの取引情報記憶手段に記憶されている前記取引情報の取得を依頼する依頼情報を受信する依頼情報受信手段と、当該依頼情報受信手段により前記依頼情報を受信した場合には、当該依頼情報に示されている前記識別情報に対応して前記取引情報記憶手段に記憶されている前記取引情報を抽出する取引情報抽出手段と、当該取引情報報抽出手段により抽出された前記取引情報である抽出情報を前記金融機関端末へ送信する抽出情報送信手段と、前記金融機関端末により送信される、前記抽出情報の前記振込情報に示された振込の実施の結果を受信する第１振込結果受信手段と、当該振込結果受信手段により受信した前記振込の結果が振込の受付を意味するものであった場合には、前記抽出情報を振込済情報として記憶する振込済情報記憶手段とを備えたことを特徴とする。
【００１５】
また、請求項９に係る発明のサーバでは、請求項８に記載の発明の構成に加えて、振込済情報記憶手段に記憶されている前記振込済情報の表示を前記支払端末から要求された場合に、前記振込済情報のうちの少なくとも前記明細情報を記載した振込済情報表示画面のデータを、当該要求を行った前記支払端末に送信して、前記Ｗｅｂブラウザに当該振込済情報表示画面を表示する振込済情報表示制御手段を備えたことを特徴とする。
【００１６】
また、請求項１０に係る発明のサーバでは、請求項９に記載の発明の構成に加えて、前記サーバの前記振込済情報表示制御手段は、いずれの口座に関する振込済情報を表示するかを指定する口座情報を入力する口座情報入力画面のデータを、前記振込済情報の表示の要求を行った前記支払端末に送信して、前記Ｗｅｂブラウザに当該口座情報入力画面を表示し、入力された前記口座情報を取得する口座情報取得手段と、当該口座情報取得手段により取得された口座情報の指定する口座の入金明細、出金明細、振込出金明細、振込取引明細、及び、振込入金明細のうちの少なくとも一種類の明細の取得を要求する明細要求情報を前記金融機関端末へ送信する明細要求情報送信手段と、前記金融機関端末から送信された前記口座明細を受信する口座明細受信手段と、当該口座明細受信手段により受信された前記口座明細の各明細に対応する前記振込済情報を前記振込済情報記憶手段から抽出する振込済情報抽出手段とを備え、当該振込済情報抽出手段により抽出された前記振込済情報を前記振込済情報表示画面に記載すること特徴とする。
【００１７】
また、請求項１１に係る発明のサーバでは、請求項８乃至１０のいずれかに記載の発明の構成に加えて、振込済情報記憶手段に記憶されている前記振込済情報の削除を前記支払端末から要求された場合に、前記振込済情報記憶手段に記憶されている前記振込済情報のうちいずれの振込済情報を削除するかを指定する削除情報を入力する削除画面のデータを、前記支払端末に送信して、前記Ｗｅｂブラウザに当該削除画面を表示し、入力された削除情報を取得する削除明細取得手段と、当該削除明細取得手段により取得された前記削除情報に指定されている前記振込済情報を前記振込済情報記憶手段から削除する振込済情報削除手段とを備えたことを特徴とする。
【００１８】
また、請求項１２に係る発明のサーバでは、請求項８乃至１１のいずれかに記載の発明の構成に加えて、借方及び貸方の勘定科目である決定属性と会計取引に関する種々の関連項目である条件属性とに基づいて会計処理における取引についてのデータを分類するためのルールである述語論理式を記憶する述語論理式記憶手段と、前記振込済情報記憶手段に記憶されている前記振込済情報の前記明細情報の各明細について前記述語論理式記憶手段に記憶されている述語論理式に基づいて仕訳を行う仕訳手段と、当該仕訳手段により仕訳された結果を記憶する仕訳結果記憶手段とを備えたことを特徴とする。
【００１９】
また、請求項１３に係る発明のサーバでは、請求項１２に記載の発明の構成に加えて、前記サーバにネットワークを介して接続可能であり、前記支払端末又は代金の支払を請求し代金を受け取る請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報の明細情報を仕訳するかを指定する仕訳明細情報を入力する仕訳明細指定画面のデータを、前記支払端末又は前記請求端末に送信して、前記Ｗｅｂブラウザに当該仕訳明細指定画面を表示し、入力された仕訳明細情報を取得する仕訳明細取得手段と、当該仕訳明細取得手段により取得された前記仕訳明細情報の指定する前記明細情報の各明細について前記仕訳手段により仕訳を行う仕訳制御手段と、前記仕訳手段によって仕訳され前記仕訳結果記憶手段に記憶された仕訳結果を、仕訳の要求を行った前記支払端末又は前記請求端末に出力する仕訳結果出力手段とを備えたことを特徴とする。
【００２０】
また、請求項１４に係る発明の仕訳端末では、請求項８乃至１１のいずれかに記載のサーバにネットワークを介して接続可能な仕訳端末であって、借方及び貸方の勘定科目である決定属性と会計取引に関する種々の関連項目である条件属性とに基づいて会計処理における取引についてのデータを分類するためのルールである述語論理式を記憶する述語論理式記憶手段と、前記サーバの前記振込済情報記憶手段に記憶されている前記振込済情報の前記明細情報の各明細について前記述語論理式記憶手段に記憶されている述語論理式に基づいて仕訳を行う仕訳手段と、当該仕訳手段により仕訳された結果を記憶する仕訳結果記憶手段とを備えたことを特徴とする。
【００２１】
また、請求項１５に係る発明の仕訳端末では、請求項１４に記載の発明の構成に加えて、前記仕訳端末にネットワークを介して接続可能であり、前記支払端末又は代金の支払を請求し代金を受け取る請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報を仕訳するかを指定する仕訳明細情報を入力する仕訳明細指定画面のデータを、前記支払端末又は前記請求端末に送信して、前記Ｗｅｂブラウザに当該仕訳明細指定画面を表示し、入力された仕訳明細情報を取得する仕訳明細取得手段と、当該仕訳明細取得手段により取得された前記仕訳明細情報の指定する前記明細情報の各明細について前記仕訳手段により仕訳を行う仕訳制御手段と、前記仕訳手段によって仕訳され前記仕訳結果記憶手段に記憶された仕訳結果を、仕訳の要求を行った前記支払端末又は前記請求端末に出力する仕訳結果出力手段とを備えたことを特徴とする。
【００２２】
また、請求項１６に係る発明の金融機関端末では、インターネットを介して他の端末に接続して種々の情報を表示するＷｅｂブラウザを制御するＷｅｂブラウザ制御手段を備えた支払端末と、振込にかかわる情報を記憶するサーバとにネットワークを介して接続した、金融機関における振込処理の依頼を受け付ける金融機関端末であって、前記支払端末から前記サーバへ入力され、当該サーバに記憶された、振込の実行に必要な情報である振込情報と当該振込にかかわる取引の明細である明細情報とから成る取引情報について、当該サーバにおいて他の取引情報と識別するための識別番号が割り当てられており、前記識別情報を入力して前記サーバに記憶されている前記取引情報の取得を指示する取得指示画面のデータを前記支払端末に送信して、前記Ｗｅｂブラウザに当該取得指示画面を表示し、前記支払端末から前記取引情報の取得の指示が行われた場合に入力された前記識別情報を取得する取得指示受付手段と、当該取得指示受付手段により取得された前記識別情報に対応して前記サーバに記憶されている前記取引情報の取得を依頼する依頼情報を前記サーバへ送信する依頼情報送信手段と、当該依頼情報送信手段により送信された前記依頼情報に示されている前記識別情報に対応して前記サーバに記憶されていた前記取引情報である抽出情報を前記サーバから受信する抽出情報受信手段と、当該抽出情報受信手段により受信した前記抽出情報の前記振込情報に示された振込を実行するための振込画面のデータを前記支払端末に送信して、前記Ｗｅｂブラウザに当該振込画面を表示させる振込画面表示制御手段と、当該振込画面に表示されている内容の振込を実行する振込手段と、前記振込手段により振込を実行した結果を前記サーバへ送信する第１振込結果送信手段とを備えたことを特徴とする。
【００２３】
また、請求項１７に係る発明の金融機関端末では、請求項１６に記載の発明の構成に加えて、前記振込手段による振込の結果のデータを、前記振込画面を表示した前記支払端末に送信して、前記Ｗｅｂブラウザに当該振込の結果を表示させる振込結果表示制御手段を備えたことを特徴とする。
【００２４】
また、請求項１８に係る発明のプログラムは、インターネットを介して他の端末に接続して種々の情報を表示するＷｅｂブラウザを制御するＷｅｂブラウザ制御手段を備えた支払端末と、金融機関における振込処理の依頼を受け付ける金融機関端末とにネットワークを介して接続し、振込にかかわる情報を記憶するサーバで作動するプログラムであって、振込の実行に必要な情報である振込情報と当該振込にかかわる取引の明細である明細情報とから成る取引情報を入力する取引情報入力画面の表示を前記支払端末から前記インターネットを介して要求された場合に、当該要求を行った前記支払端末に前記取引情報入力画面のデータを送信して、前記Ｗｅｂブラウザに当該取引情報入力画面を表示し、入力された前記取引情報を取得する取引情報取得ステップと、当該取引情報取得ステップにより取得した前記取引情報について、他と識別するための識別情報を割り当てる識別情報割当ステップと、当該取引情報取得ステップにより取得した前記取引情報を前記識別情報割当ステップにより割り当てられた前記識別情報と関連付けて取引情報記憶手段に記憶する取引情報記憶ステップと、前記取引情報入力画面を表示した前記支払端末に前記識別情報割当ステップにより割り当てられた前記識別情報を送信して前記Ｗｅｂブラウザに前記識別情報を表示する識別情報表示制御ステップと、当該識別情報表示制御ステップにより前記識別情報を前記Ｗｅｂブラウザに表示する際に、前記金融機関端末に接続して前記振込を実行するためのＷｅｂページを前記支払端末の前記Ｗｅｂブラウザに表示させる指示を行う金融機関端末接続制御ステップと、前記金融機関端末から送信される、前記支払端末の前記Ｗｅｂブラウザにおいて入力された前記識別情報に対応して前記サーバの取引情報記憶手段に記憶されている前記取引情報の取得を依頼する依頼情報を受信する依頼情報受信ステップと、当該依頼情報受信ステップにより前記依頼情報を受信した場合には、当該依頼情報に示されている前記識別情報に対応して前記取引情報記憶手段に記憶されている前記取引情報を抽出する取引情報抽出ステップと、当該取引情報報抽出ステップにより抽出された前記取引情報である抽出情報を前記金融機関端末へ送信する抽出情報送信ステップと、前記金融機関端末により送信される、前記抽出情報の前記振込情報に示された振込の実施の結果を受信する第１振込結果受信ステップと、当該振込結果受信ステップにより受信した前記振込の結果が振込の受付を意味するものであった場合には、前記抽出情報を振込済情報として振込済情報記憶手段に記憶する振込済情報記憶ステップとを前記サーバに実行させることを特徴とする。
【００２５】
また、請求項１９に係る発明のプログラムは、請求項１８に記載の発明の構成に加えて、振込済情報記憶手段に記憶されている前記振込済情報の表示を前記支払端末から要求された場合に、前記振込済情報を記載した振込済情報表示画面のデータを、当該要求を行った前記支払端末に送信して、前記Ｗｅｂブラウザに前記振込済情報表示画面を表示する振込済情報表示制御ステップを前記サーバに実行させることを特徴とする。
【００２６】
また、請求項２０に係る発明のプログラムは、請求項１９に記載の発明の構成に加えて、前記サーバの前記振込済情報表示制御ステップは、いずれの口座に関する振込済情報を表示するかを指定する口座情報を入力する口座情報入力画面のデータを、前記振込済情報の表示の要求を行った前記支払端末に送信して、前記Ｗｅｂブラウザに前記口座情報入力画面を表示し、入力された前記口座情報を取得する口座情報取得ステップと、当該口座情報取得ステップにより取得された口座情報の指定する口座の入金明細、出金明細、振込出金明細、振込取引明細、及び、振込入金明細のうちの少なくとも一種類の明細の取得を要求する明細要求情報を前記金融機関端末へ送信する明細要求情報送信ステップと、前記金融機関端末から送信された前記口座明細を受信する口座明細受信ステップと、当該口座明細受信ステップにより受信された前記口座明細の各明細に対応する前記振込済情報を前記振込済情報記憶手段から抽出する振込済情報抽出ステップとを前記サーバに実行させ、当該振込済情報抽出ステップにより抽出された前記振込済情報を前記振込済情報表示画面に記載させること特徴とする。
【００２７】
また、請求項２１に係る発明のプログラムは、請求項１８乃至２０のいずれかに記載の発明の構成に加えて、振込済情報記憶手段に記憶されている前記振込済情報の削除を前記支払端末から要求された場合に、前記振込済情報記憶手段に記憶されている前記振込済情報のうちいずれの振込済情報を削除するかを指定する削除情報を入力する削除画面のデータを、前記支払端末に送信して、前記Ｗｅｂブラウザに当該削除画面を表示し、入力された削除情報を取得する削除明細取得ステップと、当該削除明細取得ステップにより取得された前記削除情報に指定されている前記振込済情報を前記振込済情報記憶手段から削除する振込済情報削除ステップとを前記サーバに実行させることを特徴とする。
【００２８】
また、請求項２２に係る発明のプログラムは、請求項１８乃至２０のいずれかに記載の発明の構成に加えて、振込済情報記憶手段に記憶されている前記振込済情報の前記明細情報の各明細について、借方及び貸方の勘定科目である決定属性と会計取引に関する種々の関連項目である条件属性とに基づいて会計処理における取引についてのデータを分類するためのルールである述語論理式に基づいて仕訳を行う仕訳ステップと、当該仕訳ステップにより仕訳された結果を仕訳結果記憶手段に記憶する仕訳結果記憶ステップとを前記サーバに実行させることを特徴とする。
【００２９】
また、請求項２３に係る発明のプログラムは、請求項２２に記載の発明の構成に加えて、前記サーバにネットワークを介して接続可能であり、代金を支払う支払者の使用する支払端末又は代金の支払を請求し代金を受け取る請求者の使用する請求端末から、前記振込済情報記憶手段に記憶されている前記振込済情報の仕訳の要求がされた場合に、前記振込済情報記憶手段に記憶されている前記振込済情報のうちいずれの振込済情報の明細情報を仕訳するかを指定する仕訳明細情報を入力する仕訳明細指定画面のデータを、前記支払端末に送信して、前記Ｗｅｂブラウザに当該仕訳明細指定画面を表示し、入力された仕訳明細情報を取得する仕訳明細取得ステップと、当該仕訳明細取得ステップにより取得された前記仕訳明細情報の指定する前記明細情報の各明細について前記仕訳ステップにより仕訳を行う仕訳制御ステップと、前記仕訳ステップに仕訳され前記仕訳結果記憶手段に記憶された仕訳結果を、仕訳の要求を行った前記支払端末又は前記請求端末に出力する仕訳結果出力ステップとを前記サーバに実行させることを特徴とする。
【００３０】
また、請求項２４に係る発明のプログラムは、インターネットを介して他の端末に接続して種々の情報を表示するＷｅｂブラウザを備えた支払端末と、振込にかかわる情報を記憶するサーバとにネットワークを介して接続した、金融機関における振込処理の依頼を受け付ける金融機関端末で作動するプログラムであって、前記支払端末から前記サーバへ入力され、当該サーバに記憶された、振込の実行に必要な情報である振込情報と当該振込にかかわる取引の明細である明細情報とから成る取引情報について、当該サーバにおいて他の取引情報と識別するための識別番号が割り当てられ、前記識別情報を入力し、前記サーバに記憶されている前記取引情報の取得を指示する取得指示画面のデータを前記支払い端末に送信して、前記Ｗｅｂブラウザに当該取得指示画面を表示し、前記取引情報の取得の指示が行われた場合に入力された前記識別情報を取得する取得指示受付ステップと、当該取得指示受付ステップにより取得された前記識別情報に対応して前記サーバに記憶されている前記取引情報の取得を依頼する依頼情報を前記サーバへ送信する依頼情報送信ステップと、当該依頼情報送信ステップにより送信された前記依頼情報に示されている前記識別情報に対応して前記サーバに記憶されていた前記取引情報である抽出情報を前記サーバから受信する抽出情報受信ステップと、当該抽出情報受信ステップにより受信した前記抽出情報の前記振込情報に示された振込を実行するための振込画面のデータを前記支払端末に送信して、前記Ｗｅｂブラウザに当該振込画面を表示させる振込画面表示制御ステップと、当該振込画面に表示されている内容の振込を実行する振込ステップと、前記振込ステップにより振込を実行した結果を前記サーバへ送信する第１振込結果送信ステップとを前記金融機関端末に実行させることを特徴とする。
【００３１】
また、請求項２５に係る発明のプログラムは、請求項２４に記載の発明の構成に加えて、前記振込ステップにより振込の結果のデータを、前記振込画面を表示した前記支払端末に送信して、前記Ｗｅｂブラウザに当該振込の結果を表示させる振込結果表示制御ステップを前記金融機関端末に実行させることを特徴とする。
【発明の効果】
【００３２】
請求項１に係る発明の振込支援サービスシステムでは、支払端末のＷｅｂブラウザ制御手段は、インターネットを介して他の端末に接続して種々の情報を表示するＷｅｂブラウザを制御することができる。また、サーバの取引情報取得手段は、振込の実行に必要な情報である振込情報と振込にかかわる取引の明細である明細情報とから成る取引情報を入力する取引情報入力画面の表示を、支払端末からインターネットを介して要求された場合に、要求を行った支払端末に取引情報入力画面のデータを送信して、Ｗｅｂブラウザに取引情報入力画面を表示し、入力された取引情報を取得することができる。そして、識別情報割当手段は、取引情報取得手段により取得した取引情報について、他と識別するための識別情報を割り当て、取引情報記憶手段は、取引情報取得手段により取得した取引情報を識別情報割当手段により割り当てられた識別情報と関連付けて記憶し、識別情報表示制御手段は、取引情報入力画面を表示した支払端末に識別情報割当手段により割り当てられた識別情報を送信して、Ｗｅｂブラウザに識別情報を表示することができる。そして、金融機関端末接続制御手段は、識別情報表示制御手段により識別情報をＷｅｂブラウザに表示する際に、金融機関端末に接続して振込を実行するためのＷｅｂページを支払端末のＷｅｂブラウザに表示させる指示を行い、金融機関端末の取得指示受付手段は、識別情報を入力し、サーバの取引情報記憶手段に記憶されている取引情報の取得を指示する取得指示画面のデータを、取引情報入力画面を表示した支払端末に送信して、Ｗｅｂブラウザに取得指示画面を表示し、取引情報の取得の指示が行われた場合に入力された識別情報を取得することができる。そして、依頼情報送信手段は、取得指示受付手段により取得された識別情報に対応してサーバ情報記憶手段に記憶されている取引情報の取得を依頼する依頼情報をサーバへ送信することができる。さらに、サーバの依頼情報受信手段は、依頼情報送信手段から送信された依頼情報を受信し、取引情報抽出手段は、依頼情報受信手段により依頼情報を受信した場合には、依頼情報に示されている識別情報に対応して取引情報記憶手段に記憶されている取引情報を抽出し、抽出情報送信手段は、取引情報抽出手段により抽出された取引情報である抽出情報を金融機関端末へ送信することができる。さらに、金融機関端末の抽出情報受信手段は、抽出情報送信手段から送信された抽出情報を受信し、振込画面表示制御手段は、抽出情報受信手段により受信した抽出情報の振込情報を反映させた振込を実行するための振込画面のデータを、取得指示画面を表示した支払端末に送信して、Ｗｅｂブラウザに振込画面を表示させ、振込手段は、振込画面に表示されている内容の振込を実行すると第１振込結果送信手段は、振込手段による振込の結果をサーバへ送信することができる。さらに、サーバの第１振込結果受信手段は、振込結果送信手段により送信された振込の結果を受信し、振込済情報記憶手段は、振込結果受信手段により受信した振込の結果が振込の受付を意味するものであった場合には、抽出情報を振込済情報として記憶することができる。したがって、振込を行う際にその振込を発生させた商取引の明細情報をサーバに登録することができるので、振込内容と明細情報とを関連づけて利用することが可能となる。
【００３３】
また、請求項２に係る発明の振込支援サービスシステムでは、請求項１に記載の発明の効果に加えて、金融機関端末の振込結果表示制御手段は、振込手段による振込の結果のデータを、振込画面を表示した支払端末に送信して、Ｗｅｂブラウザに振込の結果を表示させることができる。したがって、振込を指示した支払端末においても振込の結果を知ることができる。
【００３４】
また、請求項３に係る発明の振込支援サービスシステムでは、請求項１又は２に記載の発明の効果に加えて、サーバの振込済情報表示制御手段は、振込済情報記憶手段に記憶されている振込済情報の表示を支払端末から要求された場合に、振込済情報のうちの少なくとも明細情報を記載した振込済情報表示画面のデータを、要求を行った支払端末に送信して、Ｗｅｂブラウザに振込済情報表示画面を表示することができる。したがって、振込が行われた商取引の明細情報を支払端末において閲覧することができる。
【００３５】
また、請求項４に係る発明の振込支援サービスシステムでは、請求項３に記載の発明の効果に加えて、サーバの振込済情報表示制御手段の口座情報取得手段は、いずれの口座に関する振込済情報を表示するかを指定する口座情報を入力する口座情報入力画面のデータを、振込済情報の表示の要求を行った支払端末に送信して、Ｗｅｂブラウザに口座情報入力画面を表示し、入力された口座情報を取得することができる。そして、明細要求情報送信手段は、口座情報取得手段により取得された口座情報の指定する口座の入金明細、出金明細、振込出金明細、振込取引明細、及び、振込入金明細のうちの少なくとも一種類の明細の取得を要求する明細要求情報を金融機関端末へ送信し、口座明細受信手段は、金融機関端末から送信された口座明細を受信し、振込済情報抽出手段は、口座明細受信手段により受信された口座明細の各明細に対応する振込済情報を振込済情報記憶手段から抽出することができ、振込済情報抽出手段により抽出された振込済情報を振込済情報表示画面に記載することができる。そして、金融機関端末の明細要求情報受信手段は、明細要求情報送信手段から明細要求情報を受信し、口座明細抽出手段は、明細要求情報受信手段が受信した明細要求情報に指示されている口座情報の指定する口座について指示されている種類の明細を抽出し、口座明細送信手段は、口座明細抽出手段により抽出された明細である口座明細をサーバの口座明細受信手段へ送信するとこと特徴とすることができる。したがって、口座情報を指定することによりその口座の振込が行われた商取引の明細情報を支払端末において閲覧することができる。
【００３６】
また、請求項５に係る発明の振込支援サービスシステムでは、請求項１乃至４のいずれかに記載の発明の効果に加えて、サーバの削除明細取得手段は、振込済情報記憶手段に記憶されている振込済情報の削除を支払端末から要求された場合に、振込済情報記憶手段に記憶されている振込済情報のうちいずれの振込済情報を削除するかを指定する削除情報を入力する削除画面のデータを、支払端末に送信して、Ｗｅｂブラウザに削除画面を表示し、入力された削除情報を取得することができる。そして、振込済情報削除手段は、削除明細取得手段により取得された削除情報に指定されている振込済情報を振込済情報記憶手段から削除することができる。したがって、サーバに記憶されている振込が行われた取引情報（振込済情報）を削除することができるので、銀行取引上において振込が組戻しされた場合でも、振込済情報を削除することができる。
【００３７】
また、請求項６に係る発明の会計仕訳システムでは、サーバ又はサーバにネットワークを介して接続可能な仕訳端末の述語論理式記憶手段は、借方及び貸方の勘定科目である決定属性と会計取引に関する種々の関連項目である条件属性とに基づいて会計処理における取引についてのデータを分類するためのルールである述語論理式を記憶し、仕訳手段は、請求項１乃至５のいずれかに記載の振込支援サービスにおけるサーバの振込済情報記憶手段に記憶されている振込済情報の明細情報の各明細について述語論理式記憶手段に記憶されている述語論理式に基づいて仕訳を行い、仕訳結果記憶手段は、仕訳手段により仕訳された結果を記憶することができる。したがって、振込を行う際にサーバに記憶された、その振込を発生させた商取引の明細情報を仕訳することができるので、仕訳を行う際に個々のデータを改めて明細情報を入力する必要がなく、手間がかからない。
【００３８】
また、請求項７に係る発明の会計仕訳システムでは、請求項６に記載の発明の効果に加えて、サーバ又はサーバにネットワークを介して接続可能な仕訳端末の仕訳明細取得手段は、サーバ又は仕訳端末にネットワークを介して接続可能である、支払端末又は代金の支払を請求する請求者の使用する請求端末から、振込済情報記憶手段に記憶されている振込済情報の仕訳の要求がされた場合に、振込済情報記憶手段に記憶されている振込済情報のうちいずれの振込済情報の明細情報を仕訳するかを指定する仕訳明細情報を入力する仕訳明細指定画面のデータを、支払端末又は請求端末に送信して、Ｗｅｂブラウザに仕訳明細指定画面を表示し、入力された仕訳明細情報を取得することができる。そして、仕訳制御手段は、仕訳明細取得手段により取得された仕訳明細情報の指定する明細情報の各明細について仕訳手段により仕訳を行い、仕訳結果出力手段は、仕訳手段によって仕訳され仕訳結果記憶手段に記憶された仕訳結果を、仕訳の要求を行った支払端末又は請求端末に出力することができる。したがって、支払端末または請求端末から仕訳を行う明細情報を指定して仕訳結果を得ることができる。
【００３９】
また、請求項８に係る発明のサーバでは、取引情報取得手段は、振込の実行に必要な情報である振込情報と振込にかかわる取引の明細である明細情報とから成る取引情報を入力する取引情報入力画面の表示を支払端末からインターネットを介して要求された場合に、要求を行った支払い端末に取引情報入力画面のデータを送信して、Ｗｅｂブラウザに取引情報入力画面を表示し、入力された取引情報を取得することができる。そして、識別情報割当手段は、取引情報取得手段により取得した取引情報について、他と識別するための識別情報を割り当て、取引情報記憶手段は、取引情報取得手段により取得した取引情報を識別情報割当手段により割り当てられた識別情報と関連付けて記憶し、識別情報表示制御手段は、取引情報入力画面を表示した支払端末に識別情報割当手段により割り当てられた識別情報を送信してＷｅｂブラウザに識別情報を表示することができる。そして、金融機関端末接続制御手段は、識別情報表示制御手段により識別情報をＷｅｂブラウザに表示する際に、金融機関端末に接続して振込を実行するためのＷｅｂページを支払端末のＷｅｂブラウザに表示させる指示を行い、依頼情報受信手段は、金融機関端末から送信される、支払端末のＷｅｂブラウザにおいて入力された識別情報に対応してサーバの取引情報記憶手段に記憶されている取引情報の取得を依頼する依頼情報を受信し、取引情報抽出手段は、依頼情報受信手段により依頼情報を受信した場合には、依頼情報に示されている識別情報に対応して取引情報記憶手段に記憶されている取引情報を抽出し、抽出情報送信手段は、取引情報報抽出手段により抽出された取引情報である抽出情報を金融機関端末へ送信し、第１振込結果受信手段は、金融機関端末により送信される、抽出情報の振込情報に示された振込の実施の結果を受信し、振込済情報記憶手段は、振込結果受信手段により受信した振込の結果が振込の受付を意味するものであった場合には、抽出情報を振込済情報として記憶することができる。したがって、振込を行う際にその振込を発生させた商取引の明細情報をサーバに登録することができるので、振込内容と明細情報とを関連づけて利用することが可能となる。
【００４０】
また、請求項９に係る発明のサーバでは、請求項８に記載の発明の効果に加えて、振込済情報表示制御手段は、振込済情報記憶手段に記憶されている振込済情報の表示を支払端末から要求された場合に、振込済情報のうちの少なくとも明細情報を記載した振込済情報表示画面のデータを、要求を行った支払端末に送信して、Ｗｅｂブラウザに振込済情報表示画面を表示することができる。したがって、振込が行われた商取引の明細情報を支払端末に提供することができる。
【００４１】
また、請求項１０に係る発明のサーバでは、請求項９に記載の発明の効果に加えて、サーバの振込済情報表示制御手段の口座情報取得手段は、いずれの口座に関する振込済情報を表示するかを指定する口座情報を入力する口座情報入力画面のデータを、振込済情報の表示の要求を行った支払端末に送信して、Ｗｅｂブラウザに口座情報入力画面を表示し、入力された口座情報を取得することができる。そして、明細要求情報送信手段は、口座情報取得手段により取得された口座情報の指定する口座の入金明細、出金明細、振込出金明細、振込取引明細、及び、振込入金明細のうちの少なくとも一種類の明細の取得を要求する明細要求情報を金融機関端末へ送信し、口座明細受信手段は、金融機関端末から送信された口座明細を受信し、振込済情報抽出手段は、口座明細受信手段により受信された口座明細の各明細に対応する振込済情報を振込済情報記憶手段から抽出することができる。また、振込済情報抽出手段により抽出された振込済情報を振込済情報表示画面に記載すること特徴とすることができる。したがって、口座情報を指定することによりその口座の振込が行われた商取引の明細情報を支払端末において閲覧することができる。
【００４２】
また、請求項１１に係る発明のサーバでは、請求項８乃至１０のいずれかに記載の発明の効果に加えて、削除明細取得手段は、振込済情報記憶手段に記憶されている振込済情報の削除を支払端末から要求された場合に、振込済情報記憶手段に記憶されている振込済情報のうちいずれの振込済情報を削除するかを指定する削除情報を入力する削除画面のデータを、支払端末に送信して、Ｗｅｂブラウザに削除画面を表示し、入力された削除情報を取得することができる。そして、振込済情報削除手段は、削除明細取得手段により取得された削除情報に指定されている振込済情報を振込済情報記憶手段から削除することができる。したがって、サーバに記憶されている振込が行われた取引情報（振込済情報）を削除することができるので、銀行取引上において振込が組戻しされた場合でも、振込済情報を削除することができる。
【００４３】
また、請求項１２に係る発明のサーバでは、請求項８乃至１１のいずれかに記載の発明の効果に加えて、述語論理式記憶手段は、借方及び貸方の勘定科目である決定属性と会計取引に関する種々の関連項目である条件属性とに基づいて会計処理における取引についてのデータを分類するためのルールである述語論理式を記憶し、仕訳手段は、振込済情報記憶手段に記憶されている振込済情報の明細情報の各明細について述語論理式記憶手段に記憶されている述語論理式に基づいて仕訳を行い、仕訳結果記憶手段は、仕訳手段により仕訳された結果を記憶することができる。したがって、振込を行う際にサーバに記憶された、その振込を発生させた商取引の明細情報を仕訳することができるので、仕訳を行う際に個々のデータを改めて明細情報を入力する必要がなく、手間がかからない。
【００４４】
また、請求項１３に係る発明のサーバでは、請求項１２に記載の発明の効果に加えて、仕訳明細取得手段は、サーバにネットワークを介して接続可能であり、支払端末又は代金の支払を請求し代金を受け取る請求者の使用する請求端末から、振込済情報記憶手段に記憶されている振込済情報の仕訳の要求がされた場合に、振込済情報記憶手段に記憶されている振込済情報のうちいずれの振込済情報の明細情報を仕訳するかを指定する仕訳明細情報を入力する仕訳明細指定画面のデータを、支払端末又は請求端末に送信して、Ｗｅｂブラウザに仕訳明細指定画面を表示し、入力された仕訳明細情報を取得することができる。そして、仕訳制御手段は、仕訳明細取得手段により取得された仕訳明細情報の指定する明細情報の各明細について仕訳手段により仕訳を行い、仕訳結果出力手段は、仕訳手段によって仕訳され仕訳結果記憶手段に記憶された仕訳結果を、仕訳の要求を行った支払端末又は請求端末に出力することができる。したがって、支払端末または請求端末から指定された明細情報の仕訳の要求に対して仕訳を行い、その仕訳結果を支払端末または請求端末へ提供することができる。
【００４５】
また、請求項１４に係る発明の仕訳端末では、述語論理式記憶手段は、借方及び貸方の勘定科目である決定属性と会計取引に関する種々の関連項目である条件属性とに基づいて会計処理における取引についてのデータを分類するためのルールである述語論理式を記憶し、仕訳手段は、サーバの振込済情報記憶手段に記憶されている振込済情報の明細情報の各明細について述語論理式記憶手段に記憶されている述語論理式に基づいて仕訳を行い、仕訳結果記憶手段は、仕訳手段により仕訳された結果を記憶することができる。したがって、振込を行う際にサーバに記憶された、その振込を発生させた商取引の明細情報を仕訳することができるので、仕訳を行う際に個々のデータを改めて明細情報を入力する必要がなく、手間がかからない。
【００４６】
また、請求項１５に係る発明の仕訳端末では、請求項１４に記載の発明の効果に加えて、仕訳明細取得手段は、仕訳端末にネットワークを介して接続可能であり、支払端末又は代金の支払を請求し代金を受け取る請求者の使用する請求端末から、振込済情報記憶手段に記憶されている振込済情報の仕訳の要求がされた場合に、振込済情報記憶手段に記憶されている振込済情報のうちいずれの振込済情報を仕訳するかを指定する仕訳明細情報を入力する仕訳明細指定画面のデータを、支払端末又は請求端末に送信して、Ｗｅｂブラウザに仕訳明細指定画面を表示し、入力された仕訳明細情報を取得することができる。そして、仕訳制御手段は、仕訳明細取得手段により取得された仕訳明細情報の指定する明細情報の各明細について仕訳手段により仕訳を行い、仕訳結果出力手段は、仕訳手段によって仕訳され仕訳結果記憶手段に記憶された仕訳結果を、仕訳の要求を行った支払端末又は請求端末に出力することができる。したがって、支払端末または請求端末から指定された明細情報の仕訳の要求に対して仕訳を行い、その仕訳結果を提供することができる。
【００４７】
また、請求項１６に係る発明の金融機関端末では、取得指示受付手段は、識別情報を入力してサーバに記憶されている取引情報の取得を指示する取得指示画面のデータを支払端末に送信して、Ｗｅｂブラウザに取得指示画面を表示し、支払端末から取引情報の取得の指示が行われた場合に入力された識別情報を取得することができる。そして、依頼情報送信手段は、取得指示受付手段により取得された識別情報に対応してサーバに記憶されている取引情報の取得を依頼する依頼情報をサーバへ送信し、抽出情報受信手段は、依頼情報送信手段により送信された依頼情報に示されている識別情報に対応してサーバに記憶されていた取引情報である抽出情報をサーバから受信し、振込画面表示制御手段は、抽出情報受信手段により受信した抽出情報の振込情報に示された振込を実行するための振込画面のデータを支払端末に送信して、Ｗｅｂブラウザに振込画面を表示させ、振込手段は、振込画面に表示されている内容の振込を実行し、第１振込結果送信手段は、振込手段により振込を実行した結果をサーバへ送信することができる。したがって、振込を行う際にその振込を発生させた商取引の明細情報と共にサーバに登録された、振込情報の振込を行うことができる。
【００４８】
また、請求項１７に係る発明の金融機関端末では、請求項１６に記載の発明の効果に加えて、振込結果表示制御手段は、振込手段による振込の結果のデータを、振込画面を表示した支払端末に送信して、Ｗｅｂブラウザに振込の結果を表示させることができる。したがって、振込を指示した支払端末にも振込の結果を提供することができる。
【００４９】
また、請求項１８に係る発明のプログラムは、振込の実行に必要な情報である振込情報と振込にかかわる取引の明細である明細情報とから成る取引情報を入力する取引情報入力画面の表示を支払端末からインターネットを介して要求された場合に、要求を行った支払端末に取引情報入力画面のデータを送信して、Ｗｅｂブラウザに取引情報入力画面を表示し、入力された取引情報を取得する取引情報取得ステップと、取引情報取得ステップにより取得した取引情報について、他と識別するための識別情報を割り当てる識別情報割当ステップと、取引情報取得ステップにより取得した取引情報を識別情報割当ステップにより割り当てられた識別情報と関連付けて取引情報記憶手段に記憶する取引情報記憶ステップと、取引情報入力画面を表示した支払端末に識別情報割当ステップにより割り当てられた識別情報を送信してＷｅｂブラウザに識別情報を表示する識別情報表示制御ステップと、識別情報表示制御ステップにより識別情報をＷｅｂブラウザに表示する際に、金融機関端末に接続して振込を実行するためのＷｅｂページを支払端末のＷｅｂブラウザに表示させる指示を行う金融機関端末接続制御ステップと、金融機関端末から送信される、支払端末のＷｅｂブラウザにおいて入力された識別情報に対応してサーバの取引情報記憶手段に記憶されている取引情報の取得を依頼する依頼情報を受信する依頼情報受信ステップと、依頼情報受信ステップにより依頼情報を受信した場合には、依頼情報に示されている識別情報に対応して取引情報記憶手段に記憶されている取引情報を抽出する取引情報抽出ステップと、取引情報報抽出ステップにより抽出された取引情報である抽出情報を金融機関端末へ送信する抽出情報送信ステップと、金融機関端末により送信される、抽出情報の振込情報に示された振込の実施の結果を受信する第１振込結果受信ステップと、振込結果受信ステップにより受信した振込の結果が振込の受付を意味するものであった場合には、抽出情報を振込済情報として振込済情報記憶手段に記憶する振込済情報記憶ステップとしてサーバを機能させることができる。したがって、サーバにおいて、振込を行う際にその振込を発生させた商取引の明細情報をサーバに登録することができるので、振込内容と明細情報とを関連づけて利用することが可能となる。
【００５０】
また、請求項１９に係る発明のプログラムでは、請求項１８に記載の発明の効果に加えて、振込済情報記憶手段に記憶されている振込済情報の表示を支払端末から要求された場合に、振込済情報を記載した振込済情報表示画面のデータを、要求を行った支払端末に送信して、Ｗｅｂブラウザに振込済情報表示画面を表示する振込済情報表示制御ステップとしてサーバを機能させることができる。したがって、サーバにおいて振込が行われた商取引の明細情報を支払端末に提供することができる。
【００５１】
また、請求項２０に係る発明のプログラムでは、請求項１９に記載の発明の効果に加えて、サーバの振込済情報表示制御ステップは、いずれの口座に関する振込済情報を表示するかを指定する口座情報を入力する口座情報入力画面のデータを、振込済情報の表示の要求を行った支払端末に送信して、Ｗｅｂブラウザに口座情報入力画面を表示し、入力された口座情報を取得する口座情報取得ステップと、口座情報取得ステップにより取得された口座情報の指定する口座の入金明細、出金明細、振込出金明細、振込取引明細、及び、振込入金明細のうちの少なくとも一種類の明細の取得を要求する明細要求情報を金融機関端末へ送信する明細要求情報送信ステップと、金融機関端末から送信された口座明細を受信する口座明細受信ステップと、口座明細受信ステップにより受信された口座明細の各明細に対応する振込済情報を振込済情報記憶手段から抽出する振込済情報抽出ステップととしてサーバを機能させることができ、振込済情報抽出ステップにより抽出された振込済情報を振込済情報表示画面に記載させることができる。したがって、サーバにおいて、支払端末から指定された口座情報の振込が行われた商取引の明細情報を支払端末に提供することができる。
【００５２】
また、請求項２１に係る発明のプログラムでは、請求項１８乃至２０のいずれかに記載の発明の効果に加えて、振込済情報記憶手段に記憶されている振込済情報の削除を支払端末から要求された場合に、振込済情報記憶手段に記憶されている振込済情報のうちいずれの振込済情報を削除するかを指定する削除情報を入力する削除画面のデータを、支払端末に送信して、Ｗｅｂブラウザに削除画面を表示し、入力された削除情報を取得する削除明細取得ステップと、削除明細取得ステップにより取得された削除情報に指定されている振込済情報を振込済情報記憶手段から削除する振込済情報削除ステップとしてサーバを機能させることができる。したがって、サーバにおいて、記憶されている振込が行われた取引情報（振込済情報）を削除することができるので、銀行取引上において振込が組戻しされた場合でも、振込済情報を削除することができる。
【００５３】
また、請求項２２に係る発明のプログラムでは、請求項１８乃至２０のいずれかに記載の発明の効果に加えて、振込済情報記憶手段に記憶されている振込済情報の明細情報の各明細について、借方及び貸方の勘定科目である決定属性と会計取引に関する種々の関連項目である条件属性とに基づいて会計処理における取引についてのデータを分類するためのルールである述語論理式に基づいて仕訳を行う仕訳ステップと、仕訳ステップにより仕訳された結果を仕訳結果記憶手段に記憶する仕訳結果記憶ステップとしてサーバを機能させることができる。したがって、サーバにおいて、振込済情報記憶手段に記憶されている振込済情報の仕訳を行うことができるので、仕訳を行う際に個々のデータの入力を改めて受ける必要がなく、手間がかからない。
【００５４】
また、請求項２３に係る発明のプログラムでは、請求項２２に記載の発明の効果に加えて、サーバにネットワークを介して接続可能であり、代金を支払う支払者の使用する支払端末又は代金の支払を請求し代金を受け取る請求者の使用する請求端末から、振込済情報記憶手段に記憶されている振込済情報の仕訳の要求がされた場合に、振込済情報記憶手段に記憶されている振込済情報のうちいずれの振込済情報の明細情報を仕訳するかを指定する仕訳明細情報を入力する仕訳明細指定画面のデータを、支払端末に送信して、Ｗｅｂブラウザに仕訳明細指定画面を表示し、入力された仕訳明細情報を取得する仕訳明細取得ステップと、仕訳明細取得ステップにより取得された仕訳明細情報の指定する明細情報の各明細について仕訳ステップにより仕訳を行う仕訳制御ステップと、仕訳ステップに仕訳され仕訳結果記憶手段に記憶された仕訳結果を、仕訳の要求を行った支払端末又は請求端末に出力する仕訳結果出力ステップとしてサーバを機能させることができる。したがって、サーバにおいて、支払端末または請求端末から指定された明細情報の仕訳の要求に対して仕訳を行い、その仕訳結果を支払端末または請求端末へ提供することができる。
【００５５】
また、請求項２４に係る発明のプログラムでは、インターネットを介して他の端末に接続して種々の情報を表示するＷｅｂブラウザを備えた支払端末と、振込にかかわる情報を記憶するサーバとにネットワークを介して接続した、金融機関における振込処理の依頼を受け付ける金融機関端末で作動するプログラムであって、支払端末からサーバへ入力され、サーバに記憶された、振込の実行に必要な情報である振込情報と振込にかかわる取引の明細である明細情報とから成る取引情報について、サーバにおいて他の取引情報と識別するための識別番号が割り当てられ、識別情報を入力し、サーバに記憶されている取引情報の取得を指示する取得指示画面のデータを支払い端末に送信して、Ｗｅｂブラウザに取得指示画面を表示し、取引情報の取得の指示が行われた場合に入力された識別情報を取得する取得指示受付ステップと、取得指示受付ステップにより取得された識別情報に対応してサーバに記憶されている取引情報の取得を依頼する依頼情報をサーバへ送信する依頼情報送信ステップと、依頼情報送信ステップにより送信された依頼情報に示されている識別情報に対応してサーバに記憶されていた取引情報である抽出情報をサーバから受信する抽出情報受信ステップと、抽出情報受信ステップにより受信した抽出情報の振込情報に示された振込を実行するための振込画面のデータを支払端末に送信して、Ｗｅｂブラウザに振込画面を表示させる振込画面表示制御ステップと、振込画面に表示されている内容の振込を実行する振込ステップと、振込ステップにより振込を実行した結果をサーバへ送信する第１振込結果送信ステップととして金融機関端末を機能させることができる。したがって、金融機関端末において、振込を行う際にその振込を発生させた商取引の明細情報と共にサーバに登録された、振込情報の振込を行うことができる。
【００５６】
また、請求項２５に係る発明のプログラムでは、請求項２４に記載の発明の効果に加えて、振込ステップにより振込の結果のデータを、振込画面を表示した支払端末に送信して、Ｗｅｂブラウザに振込の結果を表示させる振込結果表示制御ステップとして金融機関端末を機能させることができる。したがって、金融機関端末において、振込を指示した支払端末にも振込の結果を提供することができる。
【発明を実施するための最良の形態】
【００５７】
１．サービスの概要
以下、本発明の実施の形態を図面を参照して説明する。まずはじめに、図１を参照して、振込支援システム及び会計仕訳システムの概要を説明する。図１は、振込支援システム及び会計仕訳システムの機器構成図である。
【００５８】
図１に示すように、振込支援システム及び会計仕訳システムを利用するユーザ１，２の使用するユーザ端末１１，１２は、インターネット５に接続している。ここでは、ユーザ１とユーザ２との間に物品の販売やサービスの提供等の商取引が発生し、本実施の形態では、ユーザ２がユーザ１に商品を販売し、ユーザ１がユーザ２に対して支払い義務を負っているとする。そこで、ユーザ１は銀行振込、郵便振替等の金融機関取引を通じてユーザ２に対する支払を行うこととなる。この金融機関取引は、１つ１つの物品やサービスごとに行われるのではなく、複数の物品やサービス（以下、「商品」と呼ぶ）に対する対価の合計金額について行われる場合が多い。また、ユーザ１，２共にこの商取引について、物品やサービス毎の会計処理を行わなければならず、仕訳処理をする必要がある。
【００５９】
また、銀行、信用金庫、信用組合、郵便局等の金融機関４に設置されている金融機関端末４０もインターネット５に接続しており、さらに、金融機関間での種々の金融取引の電文のやり取りを行う金融機関ネットワーク６に接続している。また、振込支援サービス及び会計仕訳システムを提供するサービス提供会社３には、サーバ３０及び仕訳端末５０が備えられており、それぞれがインターネット５に接続し、さらにお互いも接続可能となっている。
【００６０】
本発明の振込支援システムは、ユーザ１がユーザ端末１１を用いて銀行振込を行う際に、当該振込の取引の詳細（商品の内訳であり、以後「取引情報」と呼ぶ）の登録を行い、サーバ３０に振込取引の成立後「振込済情報」として情報を記憶するものである。そして、会計仕訳サービスでは、振込支援システムでサーバ３０に記憶された「振込済情報」が、仕訳端末５０において、ラフ集合論を用いて作成された述語論理式を用いて仕訳される。
【００６１】
振込行う場合には、ユーザ１はユーザ端末１１（「支払端末」に該当する）を用いて、サービス提供会社３のサーバ３０にインターネット５を介して接続する。そして、振込先の口座番号、振込金額、引落口座等の振込に関する情報（以下、「振込情報」と呼ぶ）、当該振込の取引情報を入力する。すると、サーバ３０において、当該振込に対して「取引番号」というユニークな他と識別可能な番号が割り当てられ、ユーザ端末１１に送信される。そして、ユーザ１はインターネット５を介して金融機関４の金融機関端末４０に接続し、「取引番号」を送信する。すると、金融機関端末４０では、受信した「取引番号」の振込取引の内容の問い合わせをサーバ３０に対して行い、サーバ３０から応答された内容の振込を実施する為替電文を作成して、金融機関ネットワーク６を介して相手先の金融機関に送信して、振込が実行される。振込処理が完了すると、金融機関端末４０はその旨を示す「振込結果情報」をサーバ３０に送信する。すると、サーバ３０では「取引情報」を「振込済情報」とする。
【００６２】
そして、「振込済情報」として記憶されている取引を仕訳する場合には、ユーザ１はユーザ端末１１を用いて、サービス提供会社３の仕訳端末５０にインターネットを介して接続し、自身の所有する口座番号等の情報（以下、「口座情報」と呼ぶ）を送信する。すると、仕訳端末５０はサーバ３０に記憶されている「振込済情報」から当該口座に関するデータを読み出す。そして、仕訳端末５０に記憶されている述語論理式を用いて、各取引の仕訳が行われる。ここでは、ユーザ１の所有する口座から行った振込取引についての「振込済情報」だけでなく、ユーザ１の所有する口座に入金された振込取引についての「振込済情報」も読み出されて仕訳が行われる。
【００６３】
なお、サーバ３０に記憶されている「振込済情報」をユーザ端末１１，１２から照会することも可能であり、振込を組戻した場合には、「振込済情報」を削除することもできる。
【００６４】
２．機器の構成
次に、図２乃至図５を参照して、各機器の電気的構成について説明する。図２は、ユーザ端末１１の電気的構成を示すブロック図であり、図３は、サーバ３０の電気的構成を示すブロック図であり、図４は、金融機関端末４０の電気的構成を示すブロック図であり、図５は、仕訳端末５０の電気的構成を示すブロック図である。
【００６５】
まず、図２を参照して、ユーザ端末１１の電気的構成について説明する。図２に示すように、ユーザ端末１１には、ユーザ端末１１の制御を司るＣＰＵ１０１が設けられ、ＣＰＵ１０１には、各種のデータを一時的に記憶するＲＡＭ１０２と、ＢＩＯＳ等を記憶したＲＯＭ１０３と、データの受け渡しの仲介を行うＩ／Ｏインタフェイス１０４とが接続されている。Ｉ／Ｏインタフェイス１０４には、ハードディスク装置１２０が接続され、当該ハードディスク装置１２０には、Ｗｅｂブラウザプログラム記憶エリア１２１と、その他の情報記憶エリア１２２とが少なくとも設けられている。なお、Ｗｅｂブラウザプログラム記憶エリア１２１には、ＷｅｂブラウザをＣＰＵ１０１で動作させるためのプログラムが記憶されており、その他の情報記憶エリア１２２には、ユーザ端末１１で使用されるその他の情報が記憶されている。
【００６６】
また、Ｉ／Ｏインタフェイス１０４には、マウス１１１と、ビデオコントローラ１０６と、キーコントローラ１０７と、ＣＤ−ＲＯＭドライブ１０８と、ＦＤドライブ１０９と、通信装置１０５とが接続され、ビデオコントローラ１０６にはディスプレイ１１２が接続され、キーコントローラ１０７にはキーボード１１３が接続され、通信装置１０５はインターネット５に接続可能となっている。なお、ＣＤ−ＲＯＭドライブ１０８では、ＣＤ−ＲＯＭ１１４の読み取りが可能となっており、ＦＤドライブ１０９では、フレキシブルディスク１１５の読み取りや書き込みが可能となっている。
【００６７】
次に、図３のブロック図を参照して、サーバ３０の電気的構成について説明する。図３に示すように、サーバ３０には、サーバ３０の制御を司るＣＰＵ３０１が設けられ、ＣＰＵ３０１には、各種のデータを一時的に記憶するＲＡＭ３０２と、ＢＩＯＳ等を記憶したＲＯＭ３０３と、データの受け渡しの仲介を行うＩ／Ｏインタフェイス３０４とが接続されている。Ｉ／Ｏインタフェイス３０４には、ハードディスク装置３２０が接続され、当該ハードディスク装置３２０には、取引情報記憶エリア３２１と、振込済情報記憶エリア３２２と、ユーザアクセス情報記憶エリア３２３と、プログラム記憶エリア３２４と、その他の情報記憶エリア３２５とが少なくとも設けられている。
【００６８】
なお、取引情報記憶エリア３２１には、ユーザ端末１１，１２から入力された取引情報が記憶され、振込済情報記憶エリア３２２には、振込処理の終了した取引情報が記憶されている。ユーザアクセス情報記憶エリア３２３には、ユーザが振込支援サービスを利用する為のＩＤやパスワード等の情報、ユーザが金融機関端末に接続するための、口座番号やパスワード等のアクセス情報が記憶されている。プログラム記憶エリア３２４にはＣＰＵ３０１で実行されるプログラムが記憶されており、その他の情報記憶エリア３２５には、サーバ３０で使用されるその他の情報が記憶されている。
【００６９】
また、Ｉ／Ｏインタフェイス３０４には、マウス３１１と、ビデオコントローラ３０６と、キーコントローラ３０７と、ＣＤ−ＲＯＭドライブ３０８と、ＦＤドライブ３０９と、通信装置３０５とが接続され、ビデオコントローラ３０６にはディスプレイ３１２が接続され、キーコントローラ３０７にはキーボード３１３が接続され、通信装置３０５はインターネット５に接続可能となっている。また、通信装置３０５は仕訳端末５０にも通信可能となっている。なお、ＣＤ−ＲＯＭドライブ３０８に挿入されるＣＤ−ＲＯＭ３１４には、サーバ３０の制御プログラムが記憶されており、導入時には、制御プログラムは、ＣＤ−ＲＯＭ３１４から、ハードディスク装置３２０にセットアップされてプログラム記憶エリア３２４に記憶され、また、ＦＤドライブ３０９では、フレキシブルディスク３１５の読み取りや書き込みが可能となっている。
【００７０】
次に、図４のブロック図を参照して、金融機関端末４０の電気的構成について説明する。図４に示すように、金融機関端末４０には、金融機関端末４０の制御を司るＣＰＵ４０１が設けられ、ＣＰＵ４０１には、各種のデータを一時的に記憶するＲＡＭ４０２と、ＢＩＯＳ等を記憶したＲＯＭ４０３と、データの受け渡しの仲介を行うＩ／Ｏインタフェイス４０４とが接続されている。Ｉ／Ｏインタフェイス４０４には、ハードディスク装置４２０が接続され、当該ハードディスク装置４２０には、口座情報記憶エリア４２１と、口座明細情報記憶エリア４２２と、プログラム記憶エリア４２３と、その他の情報記憶エリア４２４とが少なくとも設けられている。
【００７１】
なお、口座情報記憶エリア４２１には、口座番号、口座名、支店名、パスワード等の口座情報が記憶されている。口座明細情報記憶エリア４２２には、実施された振込に関する情報が記憶されている。プログラム記憶エリア４２３にはＣＰＵ４０１で実行されるプログラムが記憶されており、その他の情報記憶エリア４２４には、金融機関端末４０で使用されるその他の情報が記憶されている。
【００７２】
また、Ｉ／Ｏインタフェイス４０４には、マウス４１０と、ビデオコントローラ４０６と、キーコントローラ４０７と、ＣＤ−ＲＯＭドライブ４０８と、ＦＤドライブ４０９と、通信装置４０５とが接続され、ビデオコントローラ４０６にはディスプレイ４１２が接続され、キーコントローラ４０７にはキーボード４１３が接続され、通信装置４０５はインターネット５に接続可能となっている。また、通信装置４０５は、他の金融機関へ為替電文を送信するための金融機関ネットワーク６にも接続可能となっている。なお、ＣＤ−ＲＯＭドライブ４０８に挿入されるＣＤ−ＲＯＭ４１４には、金融機関端末４０の制御プログラムが記憶されており、導入時には、制御プログラムは、ＣＤ−ＲＯＭ４１４から、ハードディスク装置４２０にセットアップされてプログラム記憶エリア４２３に記憶され、また、ＦＤドライブ４０９では、フレキシブルディスク４１５の読み取りや書き込みが可能となっている。
【００７３】
次に、図５のブロック図を参照して、仕訳端末５０の電気的構成について説明する。図５に示すように、仕訳端末５０には、仕訳端末５０の制御を司るＣＰＵ５０１が設けられ、ＣＰＵ５０１には、各種のデータを一時的に記憶するＲＡＭ５０２と、ＢＩＯＳ等を記憶したＲＯＭ５０３と、データの受け渡しの仲介を行うＩ／Ｏインタフェイス５０４とが接続されている。Ｉ／Ｏインタフェイス５０４には、ハードディスク装置５２０が接続され、当該ハードディスク装置５２０には、述語論理式記憶エリア５２１と、仕訳情報記憶エリア５２２と、ユーザアクセス情報記憶エリア５２３と、プログラム記憶エリア５２４と、その他の情報記憶エリア５２５とが少なくとも設けられている。
【００７４】
なお、述語論理式記憶エリア５２１には、会計処理の仕訳を行うための述語論理式が記憶されている。仕訳情報記憶エリア５２２には、仕訳を行う明細情報及びその仕訳結果が記憶されている。ユーザアクセス情報記憶エリア５２３には、ユーザが会計仕訳サービスを利用する為のＩＤやパスワード等の情報が記憶されている。プログラム記憶エリア５２４にはＣＰＵ５０１で実行されるプログラムが記憶されており、その他の情報記憶エリア５２５には、仕訳端末５０で使用されるその他の情報が記憶されている。
【００７５】
また、Ｉ／Ｏインタフェイス５０４には、マウス５１１と、ビデオコントローラ５０６と、キーコントローラ５０７と、ＣＤ−ＲＯＭドライブ５０８と、ＦＤドライブ５０９と、通信装置５０５とが接続され、ビデオコントローラ５０６にはディスプレイ５１２が接続され、キーコントローラ５０７にはキーボード５１３が接続され、通信装置５０５はインターネット５に接続可能となっている。また、仕訳端末５０はサーバ３０にも接続可能となっている。なお、ＣＤ−ＲＯＭドライブ５０８に挿入されるＣＤ−ＲＯＭ５１４には、仕訳端末５０の制御プログラムが記憶されており、導入時には、制御プログラムは、ＣＤ−ＲＯＭ５１４から、ハードディスク装置５２０にセットアップされてプログラム記憶エリア５２４に記憶され、また、ＦＤドライブ５０９では、フレキシブルディスク５１５の読み取りや書き込みが可能となっている。
【００７６】
３．振込支援システムについて
次に、振込支援システムについて具体的に説明する。
３−１．振込処理について
まず、振込処理について図６乃至１５を参照して説明する。図６及び図７は、振込処理における各機器のやりとりを示すイベントトレース図であり、図８は、取引情報入力画面１５１のイメージ図であり、図９は、登録内容表示画面１５２のイメージ図であり、図１０は、取得指示画面１５４のイメージ図であり、図１１は、振込画面１５５のイメージ図であり、図１２は、振込結果画面１５６のイメージ図であり、図１３は取引情報記憶エリア３２１の構成を示す模式図であり、図１４は、サーバ３０で実施されるサーバ振込処理のフローチャートであり、図１５は、金融機関端末４０で実施される金融機関振込処理のフローチャートである。
【００７７】
図６及び図７を参照して、振込処理の流れを説明する。図６に示すように、まず、ユーザ端末１１において、ユーザ１がＷｅｂブラウザに振込処理を実施するためのサーバ３０のページに接続するためのＵＲＬを入力する。Ｗｅｂブラウザでは入力を受け付けると、その周知の機能によりサーバ３０に接続し、該当ページを表示するための情報の取得を要求する（Ｓ６０１）。そして、サーバ３０では、ユーザ端末１１のＷｅｂブラウザからの要求に従い、まずログイン画面１５０を表示するための情報をユーザ端末１１へ送信する（Ｓ３０１）。そして、ユーザ端末１１では、ディスプレイ１１２にログイン画面１５０が表示される。なお、ログイン画面１５０には、振込支援サービス利用のためのＩＤ、パスワードの入力欄、ＯＫボタン、キャンセルボタン等が表示されている。
【００７８】
そして、ユーザ１によりログイン情報（ＩＤ、パスワード）が入力され（Ｓ６０２）、ログイン画面１５０に設けられているＯＫボタンが選択されると、Ｗｅｂブラウザはサーバ３０へ入力されたログイン情報を送信する（Ｓ６０３）。そして、サーバ３０では、ログイン処理が行われる（Ｓ３０２）。ＩＤとパスワードが予め登録されているものであれば、取引情報入力画面１５１（図８参照）を表示させるための情報がユーザ端末１１へ送信される（Ｓ３０３）。そして、ユーザ端末１１では、ディスプレイ１１２に取引情報入力画面１５１が表示される。
【００７９】
ここで、取引情報入力画面１５１について図８のイメージ図を参照して説明する。図８に示すように、取引情報入力画面１５１には、振込情報欄６０１、明細情報欄６０２、キャンセルボタン６０３、登録ボタン６０４が設けられている。振込情報欄６０１には、振込元口座欄６１１、振込先口座欄６１２、振込金額を入力する金額欄６１３が設けられている。振込元口座欄６１１にはユーザ１の所有する口座の銀行名、支店名、科目、口座番号を入力する入力欄が設けられており、振込先口座欄６１２には、振込先の口座の銀行名、支店名、科目、口座番号、口座名を入力する入力欄が設けられている。
【００８０】
そして、明細情報欄６０２には、明細番号欄６２１、項目欄６２２、金額欄６２３、合計金額欄６２４が設けられている。項目欄６２２には、購入した商品の名称（事務机、椅子、パソコン利用講習料など）や消費税等が入力され、その横の金額欄６２３に商品の購入金額が入力される。そして、合計金額欄６２４には、購入金額の合計金額、すなわち振込金額が入力される。
【００８１】
そして、図６に示すように、この取引情報入力画面１５１に取引情報が入力され（Ｓ６０４）、登録ボタン６０４が選択されると、入力された取引情報がサーバ３０へ送信される（Ｓ６０５）。すると、サーバ３０では、受信した取引情報が取引情報記憶エリア３２１（図１３参照）へ記憶され（Ｓ３０４）、当該取引情報を識別するための取引番号が付与され、取引情報記憶エリア３２１へ記憶される（Ｓ３０５）。
【００８２】
ここで、図１３を参照して、取引情報記憶エリア３２１について説明する。図１３に示すように、取引情報記憶エリア３２１には、日付欄、振込情報欄、明細情報欄、取引番号欄が設けられている。日付欄には本日の日付がセットされる。そして、振込情報欄には口座情報欄、振込先情報欄及び振込金額欄が設けられており、口座情報欄には、振込元となる口座の銀行名、支店名、科目、口座番号を入力する入力欄が設けられ、振込先情報欄には、振込先となる口座の銀行名、支店名、科目、口座番号、口座名を入力する入力欄が設けられている。そして、明細情報欄には、番号欄、項目欄、金額欄が設けられている。
【００８３】
そして、取引情報入力画面１５１の振込情報欄６０１の振込元口座欄６１１に入力された情報が振込情報欄の口座情報欄にセットされ、振込情報欄６０１の振込先口座欄６１２に入力された情報が振込情報欄の振込先情報欄にセットされ、金額欄６１３に入力された数値が振込金額欄にセットされる。明細情報欄６０２の明細番号欄６２１に入力された情報が明細情報欄の番号欄にセットされ、項目欄６２２に入力された情報が明細情報欄の項目欄にセットされ、金額欄６２３に入力された情報が明細情報欄の金額欄にセットされる。そして、付与された取引番号が取引番号欄にセットされる。なお、取引番号は、例えば、本実施の形態では、１８桁の数字であり、科目（２桁）、口座番号（７桁）、日付（６桁）、連番（３桁）で形成され、ユニークな番号となるようにしている。
【００８４】
そして、図７に示すように、取引番号が付与されたら（Ｓ３０５）、登録内容表示画面１５２（図９参照）を表示するためのデータがユーザ端末１１に送信されるとともに（Ｓ３０６）、振込元口座の金融機関の金融機関端末へ接続して、取得指示画面１５４を（図１０参照）表示するための情報もユーザ端末１１へ送信される（Ｓ３０７）。そして、ユーザ端末１１のディスプレイ１１２には登録内容表示画面１５２が表示される。
【００８５】
ここで、登録内容表示画面１５２について図９のイメージ図を参照して説明する。図９に示すように、登録内容表示画面１５２は、取引情報入力画面１５１で入力され、サーバ３０の取引情報記憶エリア３２１に記憶された情報が、そのまま振込情報欄６３１、明細情報欄６３２に表示されている。そして、明細情報欄６３２の下右側には、「振込支援サービスシステムに登録されました。右の取引番号を取得指示画面の取引番号欄へ入力し、『取得』ボタンを押してください。」との操作指示メッセージ６３３が表示されており、操作指示メッセージ６３３の右には、サーバ３０で付与された取引番号「０２１２３４５６７０５０９２８００１」が取引番号欄６３４に表示されている。そして、閉じるボタン６３５も設けられている。
【００８６】
そして、図７に示すように、ユーザ端末１１では、サーバ３０から取得指示画面１５４を表示するための情報も送信されてくるので（Ｓ３０７）、それを受けて、登録内容表示画面１５２とは別画面でＷｅｂブラウザが起動され、金融機関の振込画面を表示させるためのＵＲＬが入力される（Ｓ６０６）。そして、金融機関端末４０では、金融機関ログイン画面１５３を表示させるためのデータをユーザ端末１１へ送信する（Ｓ４０１）。そして、ユーザ端末１１ではディスプレイ１１２に金融機関ログイン画面１５３が表示される。なお、金融機関ログイン画面１５３には、金融取引のサービス利用のためのＩＤ、パスワードの入力欄、ＯＫボタン、キャンセルボタン等が表示されている。
【００８７】
そして、ユーザ１によりログイン情報（ＩＤ、パスワード）が入力され、金融機関ログイン画面１５３に設けられているＯＫボタンが選択されると、Ｗｅｂブラウザは金融機関端末４０へ入力されたログイン情報を送信する（Ｓ６０７）。そして、金融機関端末４０では、ログイン処理が行われる（Ｓ４０２）。ＩＤとパスワードが予め登録されているものであれば、取得指示画面１５４（図１０参照）を表示させるための情報がユーザ端末１１へ送信される（Ｓ４０３）。そして、ユーザ端末１１では、ディスプレイ１１２に取得指示画面１５４が表示される。
【００８８】
ここで、取得指示画面１５４について図１０のイメージ図を参照して説明する。図１０に示すように、取得指示画面１５４には、振込情報欄６４１、取引番号欄６４５、取得ボタン６４６、キャンセルボタン６４７、実行ボタン６４８が設けられている。振込情報欄には、振込元口座欄６４２及び振込先口座欄６４３、金額欄６４４が設けられており、振込元口座欄６４２には振込元の口座の銀行名、支店名、科目、口座番号を入力する入力欄が設けられており、振込先口座欄６４３には振込先口座の銀行名、支店名、科目、口座番号、口座名を入力する入力欄が設けられている。そして、これらの情報を入力して実行ボタン６４８を選択すると、入力された情報が金融機関端末４０へ送信される。また、取引番号欄６４５に取引番号を入力して、取得ボタン６４６を選択すると、取引番号が金融機関端末４０へ送信されて、該当取引番号の振込内容を表示した振込確認画面（図１１参照）が表示される。
【００８９】
そこで、図７に示すように、振込支援サービスを利用するユーザ１は、登録内容表示画面１５２に表示されている取引番号を、振込画面の取引番号欄６４５に入力して（Ｓ６０８）、取得ボタンを選択する（Ｓ６０９）。すると、ユーザ端末１１は金融機関端末４０に取引番号を送信するので、金融機関端末４０では、サーバ３０へ当該取引番号の振込情報を送信するように依頼する「依頼情報」を作成し、サーバ３０へ送信する（Ｓ４０４）。
【００９０】
依頼情報を受信したサーバ３０では、取引情報記憶エリア３２１から該当する取引番号のデータ（振込情報と明細情報）が抽出され（Ｓ３０８）、「抽出情報」として金融機関端末へ送信する（Ｓ３０９）。抽出情報を受信した金融機関端末４０では、受信した抽出情報を反映させた振込画面１５５（図１１参照）を作成して、ユーザ端末１１へ表示させるためのデータを送信する（Ｓ４０５）。そして、ユーザ端末１１では、ディスプレイ１１２に振込画面１５５が表示される。
【００９１】
ここで、振込画面１５５について図１１のイメージ図を参照して説明する。図１１に示すように、振込画面１５５には、振込元口座の情報、振込先口座の情報、振込金額、取引番号といった、実施する振込の内容が表示されて、キャンセルボタン及び実行ボタンが設けられている。ここで実行ボタンを選択すると、金融機関端末４０へ振込の実行を指示する情報が送信されて、振込が実行される。
【００９２】
そして、図７に示すように、振込画面１５５の実行ボタンが選択されると（Ｓ６１０）、金融機関端末４０で振込処理が行われ（Ｓ４０６）、振込が完了したことをしめす振込結果画面１５６（図１２参照）を表示するためのデータが送信され（Ｓ４０７）、サーバ３０には振込が完了したことを示す振込結果情報が送信される（Ｓ４０８）。なお、この振込結果情報には取引番号が含まれており、どの振込情報の振込が行われたかサーバ３０で識別できるようになっている。そして、振込結果情報を受信したサーバ３０では、振込結果情報に含まれている取引番号のデータを取引情報記憶エリア３２１から読み出し、振込済情報記憶エリア３２２へ記憶した後に、取引情報記憶エリア３２１から削除して、当該データの振込実施済みの処理を行う（Ｓ３１０）。
【００９３】
以上のような流れで、ユーザ端末１１、サーバ３０、金融機関端末４０との間で情報の授受が行われて、ユーザ１の行う振込の明細をサーバ３０に登録し、金融機関端末４０にて振込が実施される。
【００９４】
次に、図１４のフローチャートを参照して、サーバ３０で行われるサーバ振込処理について説明する。このサーバ振込処理は、ユーザ端末１１のＷｅｂブラウザから振込処理を実施するためのページを表示する要求を受信した際に開始される。
【００９５】
まず、ログイン画面１５０を表示するためのデータがユーザ端末１１へ送信され（Ｓ１）、ユーザ端末１１から送信されるログイン情報の受信が待機される（Ｓ２：ＮＯ）。ログイン情報を受信したら（Ｓ２：ＹＥＳ）、ログイン情報に含まれているＩＤ及びパスワードが予めユーザアクセス情報記憶エリア３２３に記憶されているか否かにより、認証ＯＫであるか否かの判断が行われる（Ｓ３）。認証ＯＫでなければ（Ｓ３：ＮＯ）、認証エラー画面を表示させるためのデータがユーザ端末１１へ送信され（Ｓ５）、処理を終了する。
【００９６】
認証ＯＫであれば（Ｓ３：ＹＥＳ）、取引情報入力画面１５１を表示するためのデータがユーザ端末１１へ送信され（Ｓ４）、取引情報の受信が待機される（Ｓ６：ＮＯ）。取引情報が受信されたら（Ｓ６：ＹＥＳ）、受信された取引情報が取引情報記憶エリア３２１へ記憶され（Ｓ７）、取引番号が決定されて、取引情報記憶エリア３２１へ記憶される（Ｓ８）。なお、取引番号は、前述したように、本実施の形態では、科目（２桁）、口座番号（７桁）、日付（６桁）、連番（３桁）で形成されており、取引情報記憶エリア３２１に当該口座番号の取引情報が存在しなければ連番は「００１」とされ、存在する場合にはその件数に「１」を加算した値とされる。そして、登録内容表示画面１５２を表示するためのデータがユーザ端末１１へ送信され（Ｓ９）、次いで、登録内容表示画面１５２を表示させる指示を行う指示情報がユーザ端末１１へ送信される（Ｓ１０）。
【００９７】
そして、付与した番号の取引番号の振込情報を送信するように依頼する依頼情報を、金融機関端末４０から受信するか否かの判断が行われる（Ｓ１１）。依頼情報を受信したら（Ｓ１１：ＹＥＳ）、取引情報記憶エリアから依頼情報に含まれている取引番号の取引情報が抽出され（Ｓ１２）、抽出された取引情報が抽出情報として金融機関端末４０へ送信される（Ｓ１３）。そして、金融機関端末４０から振込結果情報を受信するか否かの判断が行われる（Ｓ１４）。振込結果情報を受信したら（Ｓ１４：ＹＥＳ）、振込結果情報に含まれている取引番号のデータが取引情報記憶エリア３２１から読み出され、振込済情報記憶エリア３２２へ記憶された後に、取引情報記憶エリア３２１から削除される（Ｓ１５）。そして、本処理は終了する。
【００９８】
なお、金融機関端末４０から、所定時間（例えば１０分）、依頼情報を受信しなかったり（Ｓ１１：ＮＯ、Ｓ１６：ＹＥＳ）、所定時間（例えば１０分）、振込結果情報を受信しなかったり（Ｓ１４：ＮＯ、Ｓ１７：ＹＥＳ）した場合には、ユーザ端末１１は取引情報の登録を行っても、実際に金融機関４へは振込の依頼をしなかったことになるので、取引情報記憶エリア３２１からＳ７で記憶した取引情報は削除され（Ｓ１８）、本処理は終了する。なお、ログイン情報の受信（Ｓ２）、取引情報の受信（Ｓ６）においても、所定時間（例えば５分）待機しても受信が行われなかった場合には、処理を終了する。
【００９９】
以上のようにして、サーバ３０では、ユーザ端末１１から入力された取引情報を取引情報記憶エリア３２１に記憶し、取引番号を付与する。そして、金融機関端末４０からの要求に応えて要求された取引番号に該当する取引情報を提供し、その取引情報の振込情報の振込が実施されたことを示す振込結果情報を受信すると、取引情報を振込済情報として振込済情報記憶エリア３２２へ記憶し、取引情報記憶エリア３２１の情報を削除する。
【０１００】
次に、図１５のフローチャートを参照して、金融機関端末４０で行われる金融機関振込取得指示画面１５４を表示する要求を受信した際に開始される。
【０１０１】
まず、金融機関ログイン画面１５３を表示するためのデータがユーザ端末１１へ送信され（Ｓ１０１）、ユーザ端末１１から送信されるログイン情報の受信が待機される（１０２：ＮＯ）。ログイン情報を受信したら（Ｓ１０２：ＹＥＳ）、ログイン情報に含まれている口座番号及びパスワードが予め口座情報記憶エリア４２１に記憶されているか否かにより、認証ＯＫであるか否かの判断が行われる（Ｓ１０３）。認証ＯＫでなければ（Ｓ１０３：ＮＯ）、認証エラー画面を表示させるためのデータがユーザ端末１１へ送信され（Ｓ１０５）、処理を終了する。
【０１０２】
認証ＯＫであれば（Ｓ１０３：ＹＥＳ）、取得指示画面１５４を表示するためのデータがユーザ端末１１へ送信され（Ｓ１０４）、取引番号の受信が待機される（Ｓ１０６：ＮＯ，Ｓ１１４：ＮＯ）。取引番号が受信されたら（Ｓ１０６：ＹＥＳ）、取引番号は口座明細情報記憶エリア４２２に記憶され、その取引番号の取引情報の取得を依頼する依頼情報が作成され、サーバ３０へ送信される（Ｓ１０７）。そして、サーバ３０からの抽出情報の受信が待機され（Ｓ１０８：ＮＯ）、抽出情報を受信したら（Ｓ１０８：ＹＥＳ）、抽出情報は口座明細情報記憶エリア４２２に記憶され、抽出情報に含まれている振込情報を反映させた振込画面１５５が作成され、ユーザ端末１１へ送信される（Ｓ１０９）。そして、振込画面１５５で実行ボタンが選択されることにより送信される振込実行指示情報の受信が待機される（Ｓ１１０：ＮＯ）。そして、振込実行指示情報が受信されたら（Ｓ１１０：ＹＥＳ）、ＲＡＭ４０２に記憶され、振込画面１５５に表示されている振込情報の為替電文が作成され、金融機関ネットワーク６を介して振込先の金融機関へ送信される（Ｓ１１１）。そして、振込処理が完了したことを示す振込結果画面１５６が作成され、ユーザ端末１１へ送信され（Ｓ１１２）、サーバ３０へは、振込処理が完了したことを示す振込結果情報が作成され、送信される（Ｓ１１３）。なお、口座明細情報記憶エリア４２２にも為替電文を送信したことを示すコードが記憶される。
【０１０３】
なお、Ｓ１０４で送信した取得指示画面１５４に対して、振込情報欄６４１に入力が行われて、実行ボタン６４８が選択された場合には、取引番号でなく（Ｓ１０６：ＮＯ）、振込情報が受信されるので（Ｓ１１４：ＹＥＳ）、そのままＳ１１１へ進み、受信した振込情報が口座明細情報記憶エリア４２２に記憶され、為替電文が作成され、送信される（Ｓ１１１）。そして、本処理は終了する。なお、ログイン情報の受信（Ｓ１０２）、振込情報の受信（Ｓ１１４）においても、所定時間（例えば５分）待機しても受信が行われなかった場合には、処理を終了する。
【０１０４】
以上のようにして、金融機関端末４０では、ユーザ端末１１からの振込の依頼を取引番号を指定することにより受けた際に、サーバ３０から該当取引番号の振込情報を取得して、振込を実施する。
【０１０５】
３−２．振込済情報の照会処理について
次に、振込済情報の照会処理について図１６乃至図２０を参照して説明する。図１６は、照会処理における各機器のやり取りを示すイベントトレース図であり、図１７は口座情報入力画面１６１のイメージ図であり、図１８は、振込済情報表示画面１６２のイメージ図であり、図１９は、サーバ照会処理のフローチャートであり、図２０は、金融機関照会処理のフローチャートである。
【０１０６】
まず、図１６を参照して、照会処理の流れを説明する。図１６に示すように、まず、ユーザ端末１１において、ユーザ１がＷｅｂブラウザに照会処理を実施するためのサーバ３０のページに接続するためのＵＲＬを入力する。Ｗｅｂブラウザでは入力を受け付けると、その周知の機能によりサーバ３０に接続し、該当ページを表示するための情報の取得を要求する（Ｓ６２１）。そして、サーバ３０では、ユーザ端末１１のＷｅｂブラウザからの要求に従い、まずログイン画面１６０を表示するための情報をユーザ端末１１へ送信する（Ｓ３２１）。そして、ユーザ端末１１では、ディスプレイ１１２にログイン画面１６０が表示される。なお、ログイン画面１６０には、振込支援サービス利用のためのＩＤ、パスワードの入力欄、ＯＫボタン、キャンセルボタン等が表示されている。
【０１０７】
そして、ユーザ１によりログイン情報（ＩＤ、パスワード）が入力され（Ｓ６２２）、ログイン画面１６０に設けられているＯＫボタンが選択されると、Ｗｅｂブラウザはサーバ３０へ入力されたログイン情報を送信する（Ｓ６２３）。そして、サーバ３０では、ログイン処理が行われる（Ｓ３２２）。ＩＤとパスワードが予め登録されているものであれば、口座情報入力画面１６１（図１７参照）を表示させるための情報がユーザ端末１１へ送信される（Ｓ３２３）。そして、ユーザ端末１１では、ディスプレイ１１２に口座情報入力画面１６１が表示される。
【０１０８】
ここで、口座情報入力画面１６１について図１７のイメージ図を参照して説明する。図１７に示すように、口座情報入力画面１６１には、口座情報欄６５１、キャンセルボタン６５２、照会ボタン６５３が設けられている。口座情報欄６５１には、照会したい口座の銀行名、支店名、科目、口座番号を入力する入力欄が設けられている。
【０１０９】
そして、図１６に示すように、この口座情報入力画面１６１に口座情報が入力され（Ｓ６２４）、照会ボタン６５３が選択されると、入力された口座情報がサーバ３０へ送信される（Ｓ６２５）。すると、サーバ３０では、受信した口座情報をＲＡＭ３０２へ記憶して、口座情報で指定されている口座のユーザアクセス情報がユーザアクセス情報記憶エリア３２３から読み出される（Ｓ３２４）。そして、読み出されたユーザアクセス情報に基づいて、金融機関端末４０へ当該口座の口座明細（入出金の履歴情報）の取得を要求する明細要求情報が作成されて、金融機関端末４０へ送信される（Ｓ３２５）。明細要求情報には、銀行名、支店名、科目、口座番号、パスワード等が含まれている。
【０１１０】
そして、金融機関端末４０では、認証処理が行われる（Ｓ４２１）。口座番号とパスワードが予め登録されているものであれば、指定されている口座の本日の口座明細が口座明細情報記憶エリア４２２から抽出され、サーバ３０へ送信される（Ｓ４２２）。そして、口座明細を受信したサーバ３０では、口座明細の１明細ごとに振込済情報記憶エリア３２２から該当する振込済明細が抽出され（Ｓ３２６）、振込済情報表示画面１６２が作成され、ユーザ端末１１へ送信される（Ｓ３２７）。そして、そして、ユーザ端末１１では、ディスプレイ１１２に振込済情報表示画面１６２（図１８参照）が表示される。
【０１１１】
ここで、振込済情報表示画面１６２について図１８のイメージ図を参照して説明する。図１８に示すように、振込済情報表示画面１６２には、照会口座の情報（銀行名、支店名、科目、口座番号、口座名）、照会結果が表示されている。照会結果としては、日付、相手先の口座情報、出金金額、入金金額、明細情報、取引番号が表示されている。相手先口座は、出金金額に金額が表示されている場合には振込先の口座情報が表示されており、入金金額に金額が表示されている場合には振込元の口座情報が表示されている。
【０１１２】
次に、図１９のフローチャートを参照して、サーバ３０で行われるサーバ照会処理について説明する。このサーバ照会処理は、ユーザ端末１１のＷｅｂブラウザから照会処理を実施するためのページを表示する要求を受信した際に開始される。
【０１１３】
まず、ログイン画面１６０を表示するためのデータがユーザ端末１１へ送信され（Ｓ３１）、ユーザ端末１１から送信されるログイン情報の受信が待機される（Ｓ３２：ＮＯ）。ログイン情報を受信したら（Ｓ３２：ＹＥＳ）、ログイン情報に含まれているＩＤ及びパスワードが予めユーザアクセス情報記憶エリア３２３に記憶されているか否かにより、認証ＯＫであるか否かの判断が行われる（Ｓ３３）。認証ＯＫでなければ（Ｓ３３：ＮＯ）、認証エラー画面を表示させるためのデータがユーザ端末１１へ送信され（Ｓ３５）、処理を終了する。
【０１１４】
認証ＯＫであれば（Ｓ３３：ＹＥＳ）、口座情報入力画面１６１を表示するためのデータがユーザ端末１１へ送信され（Ｓ３４）、口座情報の受信が待機される（Ｓ３６：ＮＯ）。口座情報が受信されたら（Ｓ３６：ＹＥＳ）、受信された口座情報がＲＡＭ３０２へ記憶され、口座情報で指定されている口座のユーザアクセス情報がユーザアクセス情報記憶エリア３２３から読み出される（Ｓ３７）、読み出されたユーザアクセス情報に基づいて、金融機関端末４０へ当該口座の口座明細（入出金の履歴情報）の取得を要求する明細要求情報が作成されて、金融機関端末４０へ送信される（Ｓ３８）。そして、金融機関端末４０から口座明細を受信するか否かの判断が行われる（Ｓ３９）。口座明細を受信したら（Ｓ３９：ＹＥＳ）、口座明細の１明細ごとに振込済情報記憶エリア３２２から該当する振込済明細が抽出され（Ｓ４０）、振込済情報表示画面１６２が作成され、ユーザ端末１１へ送信される（Ｓ４１）。そして、処理を終了する。なお、ログイン情報の受信（Ｓ３２）、口座情報の受信（Ｓ３６）においては、所定時間（例えば５分）待機しても受信が行われなかった場合には、処理を終了する。
【０１１５】
以上のようにして、サーバ３０では、ユーザ端末１１から入力された口座情報の明細情報を金融機関端末４０から取得し、各明細の明細情報と合わせた情報をユーザ端末１１へ提示することができる。
【０１１６】
次に、図２０のフローチャートを参照して、金融機関端末４０で行われる金融機関照会処理について説明する。この金融機関照会処理は、サーバ３０から明細要求情報を受信した際に開始される。
【０１１７】
まず、明細要求情報を受信すると（Ｓ１２０）、明細要求情報に含まれている口座番号及びパスワードが予め口座情報記憶エリア４２１に記憶されているか否かにより、認証ＯＫであるか否かの判断が行われる（Ｓ１２１）。認証ＯＫでなければ（Ｓ１２１：ＮＯ）、認証エラー画面を表示させるためのデータがユーザ端末１１へ送信され（Ｓ１２４）、処理を終了する。認証ＯＫであれば（Ｓ１２１：ＹＥＳ）、明細要求情報に指定されている口座の本日の口座明細が口座明細情報記憶エリア４２２から抽出され（Ｓ１２２）、サーバ３０へ送信される（Ｓ１２３）。そして処理は終了する。
【０１１８】
以上のようにして、金融機関端末４０では、ユーザ端末１１からの明細要求情報による口座明細の要求に対して、該当する口座の本日の口座明細を抽出して送信する。
【０１１９】
３−３．振込済情報の削除処理について
次に、振込済情報の削除処理について図２１乃至図２４を参照して説明する。図２１は、削除処理における各機器のやり取りを示すイベントトレース図であり、図２２は、削除画面１７１のイメージ図であり、図２３は、削除確認画面１７２のイメージ図であり、図２４は、サーバ削除処理のフローチャートである。
【０１２０】
まず、図２１を参照して、削除処理の流れを説明する。図２１に示すように、まず、ユーザ端末１１において、ユーザ１がＷｅｂブラウザに削除処理を実施するためのサーバ３０のページに接続するためのＵＲＬを入力する。Ｗｅｂブラウザでは入力を受け付けると、その周知の機能によりサーバ３０に接続し、該当ページを表示するための情報の取得を要求する（Ｓ６４１）。そして、サーバ３０では、ユーザ端末１１のＷｅｂブラウザからの要求に従い、まずログイン画面１７０を表示するための情報をユーザ端末１１へ送信する（Ｓ３４１）。そして、ユーザ端末１１では、ディスプレイ１１２にログイン画面１７０が表示される。なお、ログイン画面１７０には、振込支援サービス利用のためのＩＤ、パスワードの入力欄、ＯＫボタン、キャンセルボタン等が表示されている。
【０１２１】
そして、ユーザ１によりログイン情報（ＩＤ、パスワード）が入力され（Ｓ６４２）、ログイン画面１７０に設けられているＯＫボタンが選択されると、Ｗｅｂブラウザはサーバ３０へ入力されたログイン情報を送信する（Ｓ６４３）。そして、サーバ３０では、ログイン処理が行われる（Ｓ３４２）。ＩＤとパスワードが予め登録されているものであれば、削除画面１７１（図２２参照）を表示させるための情報がユーザ端末１１へ送信される（Ｓ３４３）。そして、ユーザ端末１１では、ディスプレイ１１２に削除画面１７１が表示される。
【０１２２】
ここで、削除画面１７１について図２２のイメージ図を参照して説明する。図２２に示すように、削除画面１７１には、取引番号入力欄６６１、キャンセルボタン６６２、削除ボタン６６３が設けられている。
【０１２３】
そして、図２１に示すように、この削除画面１７１に口座情報が入力され（Ｓ６４４）、削除ボタン６６３が選択されると、入力された取引番号がサーバ３０へ送信される（Ｓ６４５）。すると、サーバ３０では、受信した取引番号がＲＡＭ３０２へ記憶され、振込済情報記憶エリア３２２から指定されている取引番号の明細が抽出される（Ｓ３４４）。そして、抽出された振込済明細情報を表示した削除確認画面１７２（図２３参照）が作成され、ユーザ端末１１へ送信される（Ｓ３４５）。
【０１２４】
ここで、削除確認画面１７２について、図２３のイメージ図を参照して説明する。図２３に示すように、出金口座の情報、受付日、振込先口座の情報、振込金額、取引番号、明細情報といった、削除する振込済の取引情報の内容が表示されており、キャンセルボタン、削除ボタンが設けられている。
【０１２５】
そして、図２１に示すように、削除ボタン６６３が選択されると、削除を指示する情報がサーバ３０へ送信される（Ｓ６４６）。削除を指示する情報を受信したサーバ３０では、振込済情報記憶エリア３２２からＳ３４４で抽出した振込済の取引情報が削除され（Ｓ３４６）、削除完了画面１７３が作成され、ユーザ端末１１へ送信される（Ｓ３４７）。
【０１２６】
次に、図２４のフローチャートを参照して、サーバ３０で行われるサーバ削除処理について説明する。このサーバ削除処理は、ユーザ端末１１のＷｅｂブラウザから削除処理を実施するためのページを表示する要求を受信した際に開始される。
【０１２７】
まず、ログイン画面１７０を表示するためのデータがユーザ端末１１へ送信され（Ｓ１５１）、ユーザ端末１１から送信されるログイン情報の受信が待機される（Ｓ１５２：ＮＯ）。ログイン情報を受信したら（Ｓ１５２：ＹＥＳ）、ログイン情報に含まれているＩＤ及びパスワードが予めユーザアクセス情報記憶エリア３２３に記憶されているか否かにより、認証ＯＫであるか否かの判断が行われる（Ｓ１５３）。認証ＯＫでなければ（Ｓ１５３：ＮＯ）、認証エラー画面を表示させるためのデータがユーザ端末１１へ送信され（Ｓ１５５）、処理を終了する。
【０１２８】
認証ＯＫであれば（Ｓ１５３：ＹＥＳ）、削除画面１７１を表示するためのデータがユーザ端末１１へ送信され（Ｓ１５４）、削除情報の受信が待機される（Ｓ１５６：ＮＯ）。削除情報が受信されたら（Ｓ１５６：ＹＥＳ）、受信された削除情報がＲＡＭ３０２へ記憶され、削除情報で指定されている口座の振込済の取引情報が振込済情報記憶エリア３２２から抽出され、ＲＡＭ３０２に記憶される（Ｓ１５７）。そして、削除確認画面１７２が作成されて、ユーザ端末１１へ送信される（Ｓ１５８）。そして、削除指示の受信が待機される（Ｓ１５９：ＮＯ）。削除指示を受信したら（Ｓ１５９：ＹＥＳ）、抽出された振込済の取引情報が振込済情報記憶エリア３２２から削除され（Ｓ１６０）、削除完了画面１７３が作成されて、ユーザ端末１１へ送信される（Ｓ１６１）。そして、処理を終了する。なお、ログイン情報の受信（Ｓ１５２）、削除情報の受信（Ｓ１５６）、削除指示の受信（Ｓ１５９）において、所定時間（例えば５分）待機しても受信が行われなかった場合には、処理を終了する。
【０１２９】
以上のようにして、サーバ３０では、ユーザ端末１１から入力された取引番号の明細情報を振込済情報記憶エリア３２２から削除することができる。
【０１３０】
４．会計仕訳システムについて
つぎに、図２５乃至図２９を参照して、会計仕訳システムについて具体的に説明する。図２５は、述語論理式を用いた会計仕訳のデータと処理との関連図であり、図２６は、述語論理式記憶エリア５２１の構成を示す模式図であり、図２７は、仕訳情報記憶エリア５２２の構成を示す模式図であり、図２８は、会計仕訳処理における各機器のやりとりを示すイベントトレース図であり、図２９は、仕訳端末仕訳処理のフローチャートである。
【０１３１】
図２５を参照して、述語論理式を用いた会計仕訳について説明する。まず、述語論理式について説明する。本実施の形態では、述語論理式６４を数１のような形式で表現するものとする。「：−」の右辺が条件、左辺が結果となり、右辺が真ならば左辺も真という関係が成り立つ。本実施の形態では、左辺の決定属性名を「仕訳」とし、決定属性値として「借方勘定科目」、「貸方勘定科目」の２つとする。そして、右辺の条件属性は借方勘定科目、貸方勘定科目の組み合わせにより種々の条件が述語論理式作成処理６０により決定される。本実施の形態で使用される主な条件属性は、摘要（Ａ），科目（Ｂ），支払金額（Ｃ），入金金額（Ｄ）である。摘要（Ａ）は明細情報の「項目」に該当し、科目（Ｂ）は仕訳が行われる口座の科目（預金種類）に該当し、支払金額は仕訳が行われる口座からの出金金額（振込金額）に該当し、入金金額（Ｄ）は仕訳が行われる口座への入金金額（振込により入金された金額）に該当する。
【数１】
0004819472.tif 000002
【０１３２】
述語論理式作成処理６０では、当該企業の過去の会計取引における仕訳結果６１に、会計取引での共通ルール６２と当該企業独特の企業特性ルール６３とを加味して、企業に対応した述語論理式６４が作成される。この述語論理式６４は会計仕訳システムサービスの利用開始時に作成されており、その後の会計取引の仕訳処理６６においては、明細情報６５に対して、述語論理式６４から適応する述語論理式を探索して仕訳結果６７を得る。
【０１３３】
なお、共通ルール６２とは、例えば、「『日付』は、勘定科目の決定に影響を与えない」というような、会計処理を行う者（経理担当者や会計士、税理士等）の情報に基づいて導かれる「仕訳結果から『日付』の属性は削除する」というルールである。また、企業特性ルール６３とは、「『相手先』が『Ｍ調査会社』の『摘要』が『情報提供料』の出金取引であれば、『情報提供契約』があり、『借方勘定科目』は『販売手数料』となる。」というような情報に基づいて導かれる「『相手先』が『Ｍ調査会社』の『摘要』が『情報提供料』の出金取引であれば、『情報提供契約』属性に「有り」をセットし、『相手先』が『Ｍ調査会社』でない『摘要』が『情報提供料』の出金取引については「無し」をセットする」というルールであり、過去仕訳結果に新たな『情報提供契約』属性が追加される。
【０１３４】
ここで、図２６に示す述語論理式記憶エリア５２１に記憶されている述語論理式を例に挙げて、述語論理式の具体例を説明する。１行目の「仕訳（備品・消耗品費，当座預金）：−摘要（Ａ），＄ｍｅｍｂｅｒ（Ａ，［事務机，椅子］），科目（Ｂ），＄ｍｅｍｂｅｒ（Ｂ，［当座預金］），支払金額（Ｃ），＄ｇｒｅａｔｅｒＴｈａｎＩｎｔ（Ｃ，０）．」という述語論理式は、「摘要を示す値Ａが『事務机，椅子』のいずれかである」，「科目を示す値Ｂが『当座預金』である」，「支払金額の値Ｃが０より大きい」という条件を満たす場合には、借方勘定科目「備品・消耗品費」，貸方勘定科目「当座預金」と仕訳されるという意味である。２行目の述語論理式は「摘要を示す値Ａが『パソコン利用講習料，デザインソフト利用講習料』のいずれかである」，「科目を示す値Ｂが『当座預金』である」，「支払金額の値Ｃが０より大きい」という条件を満たす場合には、借方勘定科目「教育実習費」，貸方勘定科目「当座預金」と仕訳されるという意味であり、３行目の述語論理式は「摘要を示す値Ａが『内装リフォーム作業料』である」，「科目を示す値Ｂが『当座預金』である」，「支払金額の値Ｃが０より大きい」という条件を満たす場合には、借方勘定科目「修繕費」，貸方勘定科目「当座預金」と仕訳されるという意味である。
【０１３５】
そして、４行目の述語論理式は「摘要を示す値Ａが『椅子・ソファー代』である」，「科目を示す値Ｂが『当座預金』である」，「支払金額の値Ｃが０より大きい」という条件を満たす場合には、借方勘定科目「備品・消耗品費」，貸方勘定科目「当座預金」と仕訳されるという意味であり、５行目の述語論理式は「摘要を示す値Ａが『車両本体とオプション』である」，「科目を示す値Ｂが『当座預金』である」，「入金金額の値Ｄが０より大きい」という条件を満たす場合には、借方勘定科目「車両運搬具」，貸方勘定科目「当座預金」と仕訳されるという意味であり、６行目の述語論理式は「摘要を示す値Ａが『支払手数料』である」，「科目を示す値Ｂが『当座預金』である」，「入金金額の値Ｄが０より大きい」という条件を満たす場合には、借方勘定科目「雑費」，貸方勘定科目「当座預金」と仕訳されるという意味であり、７行目の述語論理式は「摘要を示す値Ａが『自動車税』である」，「科目を示す値Ｂが『当座預金』である」，「入金金額の値Ｄが０より大きい」という条件を満たす場合には、借方勘定科目「自動車諸税」，貸方勘定科目「当座預金」と仕訳されるという意味であり、８行目の述語論理式は「摘要を示す値Ａが『自動車保険料』である」，「科目を示す値Ｂが『当座預金』である」，「入金金額の値Ｄが０より大きい」という条件を満たす場合には、借方勘定科目「自動車保険料」，貸方勘定科目「当座預金」と仕訳されるという意味である。
【０１３６】
次に、図２７を参照して、仕訳情報記憶エリア５２２について説明する。図２７に示すように、仕訳情報記憶エリア５２２には、振込情報欄、明細情報欄、仕訳結果欄が設けられており、振込情報欄及び明細情報欄は、サーバ３０の取引情報記憶エリア３２１（図１３参照）及び振込済情報記憶エリア３２２と同じ構成となっている。そして、仕訳結果欄には、貸方勘定科目欄及び借方勘定科目欄が設けられており、仕訳の結果が記憶される。
【０１３７】
次に、図２８を参照して、仕訳処理の流れを説明する。図２８に示すように、まず、ユーザ端末１１において、ユーザ１がＷｅｂブラウザに仕訳処理を実行するための仕訳端末５０のページに接続するためのＵＲＬを入力する。Ｗｅｂブラウザでは入力を受け付けると、その周知の機能により仕訳端末５０に接続し、該当ページを表示するための情報の取得を要求する（Ｓ６６１）。そして、仕訳端末５０では、ユーザ端末１１のＷｅｂブラウザからの要求に従い、まずログイン画面１８０を表示するための情報をユーザ端末１１へ送信する（Ｓ５６１）。そして、ユーザ端末１１では、ディスプレイ１１２にログイン画面１８０が表示される。なお、ログイン画面１８０には、振込支援サービス利用のためのＩＤ、パスワードの入力欄、ＯＫボタン、キャンセルボタン等が表示されている。
【０１３８】
そして、ユーザ１によりログイン情報（ＩＤ、パスワード）が入力され（Ｓ６６２）、ログイン画面１８０に設けられているＯＫボタンが選択されると、Ｗｅｂブラウザはサーバ３０へ入力されたログイン情報を送信する（Ｓ６６３）。そして、サーバ３０では、ログイン処理が行われる（Ｓ５６２）。ＩＤとパスワードが予め登録されているものであれば、口座情報入力画面１８１を表示させるための情報がユーザ端末１１へ送信される（Ｓ５６３）。そして、ユーザ端末１１では、ディスプレイ１１２に口座情報入力画面１８１が表示される。口座情報入力画面１８１には、図１７に示す振込支援サービスの口座情報入力画面１６２と同様に、口座情報入力欄、キャンセルボタン、実行ボタンが設けられており、口座の銀行名、支店名、科目、口座番号を入力することにより、仕訳を行いたい口座を指定することができる。
【０１３９】
そして、この口座情報入力画面１８１に口座情報が入力され（Ｓ６６４）、実行ボタンが選択されると、入力された口座情報が仕訳端末５０へ送信される（Ｓ６６５）。すると、サーバ３０では、受信した口座情報がＲＡＭ３０２へ記憶され、当該口座情報の口座の本日の取引情報を要求する要求情報が作成され、サーバ３０へ送信される（Ｓ５６４）。そして、サーバ３０では、振込済情報記憶エリア３２２から指定されている口座情報の取引情報が抽出され（Ｓ３６１）、抽出された振込済の取引情報が仕訳端末５０へ送信される（Ｓ３６２）。
【０１４０】
そして、仕訳端末５０では、受信した取引情報を仕訳情報記憶エリア５２２へ記憶し、記憶した取引情報の明細情報について述語論理式を用いた仕訳処理が行われて、その結果が仕訳情報記憶エリア５２２へ記憶される（Ｓ５６５）。そして、仕訳情報記憶エリア５２２に記憶されている取引情報、明細情報、仕訳結果を表示した仕訳結果画面１８２を表示させるための情報がユーザ端末１１へ送信される（Ｓ５６６）。そして、ユーザ端末１１では、ディスプレイ１１２に仕訳結果画面１８２が表示される。
【０１４１】
次に、図２９のフローチャートを参照して、仕訳端末５０で行われる仕訳処理について説明する。この仕訳処理は、ユーザ端末１１のＷｅｂブラウザから仕訳処理を実施するためのページを表示する要求を受信した際に開始される。
【０１４２】
まず、ログイン画面１８０を表示するためのデータがユーザ端末１１へ送信され（Ｓ２０１）、ユーザ端末１１から送信されるログイン情報の受信が待機される（Ｓ２０２：ＮＯ）。ログイン情報を受信したら（Ｓ２０２：ＹＥＳ）、ログイン情報に含まれているＩＤ及びパスワードが予めユーザアクセス情報記憶エリア５２３に記憶されているか否かにより、認証ＯＫであるか否かの判断が行われる（Ｓ２０３）。認証ＯＫでなければ（Ｓ２０３：ＮＯ）、認証エラー画面を表示させるためのデータがユーザ端末１１へ送信され（Ｓ２０５）、処理を終了する。
【０１４３】
認証ＯＫであれば（Ｓ２０３：ＹＥＳ）、口座情報入力画面１８１を表示するためのデータがユーザ端末１１へ送信され（Ｓ２０４）、口座情報の受信が待機される（Ｓ２０６：ＮＯ）。口座情報が受信されたら（Ｓ２０６：ＹＥＳ）、受信された口座情報がＲＡＭ３０２へ記憶され、口座情報で指定されている口座の本日の振込済の取引情報の取得を要求する要求情報がサーバ３０へ送信される（Ｓ２０７）。そして、サーバ３０からの振込済情報の受信が待機される（Ｓ２０８：ＮＯ）。振込済情報を受信したら（Ｓ２０８：ＹＥＳ）、受信された振込済の取引情報が仕訳情報記憶エリア５２２の振込情報欄及び明細情報欄に記憶される（Ｓ２０９）。
【０１４４】
そして、仕訳情報記憶エリア５２２に記憶されている明細情報の仕訳処理が行われる（Ｓ２１０〜Ｓ２１５）。まず、仕訳情報記憶エリア５２２に記憶されている１つ目の明細情報が読み出される（Ｓ２１０）。そして、全ての明細情報の仕訳を終了したか否かの判断が行われるが（Ｓ２１１）、まだ１つ目のデータであるので終了していないと判断される（Ｓ２１１：ＮＯ）。そして、述語論理式記憶エリア５２１の１つ目の述語論理式が読み出される（Ｓ２１２）。そして、全ての述語論理式についての判定が終了したか否かの判断が行われるが（Ｓ２１３）、まだ１つ目の述語論理式であるので終了していないと判断され（Ｓ２１３：ＮＯ）、明細情報が述語論理式を満たすか否かの判定が行われる（Ｓ２１４）。
【０１４５】
例えば、仕訳処理の指定口座が振込元の口座であり、その科目が「当座預金」、明細情報が項目「事務机」、振込金額「４０４７６２」という明細情報を考える。この場合には、摘要（Ａ）が「事務机」、科目（Ｂ）が「当座預金」、支払金額（Ｃ）が「４０４７６２」となる。そして、述語論理式を図２６に示した述語論理式記憶エリア５２１の１行目の述語論理式「仕訳（備品・消耗品費，当座預金）：−摘要（Ａ），＄ｍｅｍｂｅｒ（Ａ，［事務机，椅子］），科目（Ｂ），＄ｍｅｍｂｅｒ（Ｂ，［当座預金］），支払金額（Ｃ），＄ｇｒｅａｔｅｒＴｈａｎＩｎｔ（Ｃ，０）．」を考えると、摘要（Ａ）は「事務机」であり、［事務机，椅子］に該当しているので１つ目の条件を満たす。また、科目（Ｂ）は「当座預金」であり、［当座預金］に該当しているので２つ目の条件を満たす。また、支払金額（Ｃ）は「０」より大きいので３つ目の条件も満たす。したがって、この明細情報はこの述語論理式を満たすこととなり、仕訳結果は借方勘定科目「備品・消耗品費」、貸方勘定科目「当座預金」となる。
【０１４６】
そして、述語論理式を満たす場合には（Ｓ２１４：ＹＥＳ）、仕訳結果が仕訳情報記憶エリア５２２の仕訳結果欄に記憶され（Ｓ２１５）、Ｓ２１０へ戻り、次の明細情報の読み出しが行われる（Ｓ２１０）。
【０１４７】
なお、述語論理式を満たさない場合には（Ｓ２１４：ＮＯ）、Ｓ２１２へ戻り、次の述語論理式が読み込まれる（Ｓ２１２）。そして、全ての述語論理式の判定が終了したか否かの判断が行われ（Ｓ２１３）、全ての述語論理式の判定が行われていなければ（Ｓ２１３：ＮＯ）、明細情報が述語論理式を満たすか否かの判定が行われる（Ｓ２１４）。そして、述語論理式を満たしていれば（Ｓ２１４：ＹＥＳ）、仕訳結果が仕訳情報記憶エリア５２２の仕訳結果欄に記憶され（Ｓ２１５）、Ｓ２１０へ戻る。なお、明細情報を満たす述語論理式がないままに、すべての述語論理式についての判定が終了した場合には（Ｓ２１３：ＹＥＳ）、仕訳情報記憶エリア５２２の仕訳結果欄に仕訳結果が記憶されることなく、Ｓ２１０へ戻り、次の明細情報についての処理が行われる（Ｓ２１０〜Ｓ２１５）。
【０１４８】
そして、全ての明細情報の処理が終了したら（Ｓ２１１：ＹＥＳ）、仕訳結果画面１８２を表示させるためのデータが作成されて、ユーザ端末１１へ送信され（Ｓ２１６）。本処理は終了する。
【０１４９】
以上のようにして、仕訳端末５０において、サーバ３０の振込済情報記憶エリア３２２に記憶されている取引情報の仕訳を行い、ユーザ端末１１へ提供することができる。
【０１５０】
なお、上記実施の形態のユーザ端末１１が「支払端末」及び「請求端末」に該当し、振込を行う場合、振込した取引情報についての照会や削除を行う場合、振込した取引情報の明細情報の仕訳を行う場合には「支払端末」に該当し、自身の口座に振込入金された金融機関取引に関する取引情報を照会する場合、自身の口座に振込入金された金融機関取引に関する明細情報を仕訳する場合には「請求端末」に該当する。Ｗｅｂブラウザプログラム記憶エリア１２１に記憶されているＷｅｂブラウザプログラムを実行するＣＰＵ１０１が「Ｗｅｂブラウザ制御手段」に相当する。そして、サーバ３０の取引情報記憶エリア３２１が「取引情報記憶手段」に該当し、サーバ３０の振込済情報記憶エリア３２２が「振込済情報記憶手段」に該当し、仕訳端末５０の述語論理式記憶エリア５２１が「述語論理式記憶手段」に該当する。
【０１５１】
そして、図１４に示すサーバ振込処理のＳ４，Ｓ６，Ｓ７の処理を実行するサーバ３０のＣＰＵ３０１が「取引情報取得手段」に相当し、Ｓ８の処理を実行するサーバ３０のＣＰＵ３０１が「識別情報割当手段」に相当し、Ｓ９の処理を実行するサーバ３０のＣＰＵ３０１が「識別情報表示制御手段」に相当し、Ｓ１０の処理を実行するサーバ３０のＣＰＵ３０１が「金融機関端末接続制御手段」に相当し、Ｓ１１の処理を実施するサーバ３０のＣＰＵ３０１が「依頼情報受信手段」に相当し、Ｓ１２の処理を実施するサーバ３０のＣＰＵ３０１が「取引情報抽出手段」に相当し、Ｓ１３の処理を実施するサーバ３０のＣＰＵ３０１が「抽出情報送信手段」に相当し、Ｓ１４の処理を実施するサーバ３０のＣＰＵ３０１が「第１振込結果受信手段」に相当する。
【０１５２】
そして、図１９に示すサーバ照会処理のＳ４１の処理を行うサーバ３０のＣＰＵ３０１が「振込済情報表示制御手段」に相当し、Ｓ３４〜Ｓ３６の処理を実行するサーバ３０のＣＰＵ３０１が「口座情報取得手段」に相当し、Ｓ３８の処理を実行するサーバ３０のＣＰＵ３０１が「明細要求情報送信手段」に相当し、Ｓ３９の処理を実行するサーバ３０のＣＰＵ３０１が「口座明細受信手段」に相当し、Ｓ４０の処理を実行するサーバ３０のＣＰＵ３０１が「振込済情報抽出手段」に相当する。
【０１５３】
そして、図２４に示すサーバ削除処理のＳ１５４〜Ｓ１５６の処理を実行するサーバ３０のＣＰＵ３０１が「削除明細取得手段」に相当し、Ｓ１６０の処理を実行するサーバ３０のＣＰＵ３０１が「振込済情報削除手段」に相当する。
【０１５４】
そして、図１５に示す金融機関振込処理のＳ１０４の処理を実行する金融機関端末４０のＣＰＵ４０１が「取得指示受付手段」に相当し、Ｓ１０７の処理を実施する金融機関端末４０のＣＰＵ４０１が「依頼情報送信手段」に相当し、Ｓ１０８の処理を実行する金融機関端末４０のＣＰＵ４０１が「抽出情報受信手段」に相当し、Ｓ１０９の処理を実行する金融機関端末４０のＣＰＵ４０１が「振込画面表示制御手段」に相当し、Ｓ１１１の処理を実行する金融機関端末４０のＣＰＵ４０１が「振込手段」に相当し、Ｓ１１３の処理を実行する金融機関端末４０のＣＰＵ４０１が「第１振込結果送信手段」に相当し、Ｓ１１２の処理を実施する金融機関端末４０のＣＰＵ４０１が「振込結果表示制御手段」に相当し、Ｓ１２０の処理を実行する金融機関端末４０のＣＰＵ４０１が「明細要求情報受信手段」に相当し、Ｓ１２２の処理を実行する金融機関端末４０のＣＰＵ４０１が「口座明細抽出手段」に相当し、Ｓ１２３の処理を実行する金融機関端末４０のＣＰＵ４０１が「口座明細送信手段」に相当する。
【０１５５】
そして、図２９に示す仕訳処理のＳ２１２〜Ｓ２１５の処理を実行する仕訳端末５０のＣＰＵ５０１が「仕訳手段」に相当し、Ｓ２１５の処理を実行する仕訳端末５０のＣＰＵ５０１が「仕訳結果記憶手段」に相当し、Ｓ２０４〜Ｓ２０９の処理を実行する仕訳端末５０のＣＰＵ５０１が「仕訳明細取得手段」に相当し、Ｓ２１０〜Ｓ２１５が「仕訳制御手段」に相当し、Ｓ２１６の処理を実行する仕訳端末５０のＣＰＵ５０１が「仕訳結果出力手段」に相当する。
【０１５６】
なお、本発明の述語論理式作成装置、会計仕訳ルール作成装置、会計仕訳装置、述語論理式作成プログラム、会計仕訳ルール作成プログラム、及び、会計仕訳プログラムは、上記した実施の形態に限定されるものではなく、本発明の要旨を逸脱しない範囲内において種々変更を加え得ることは勿論である。
【０１５７】
上記実施の形態では、照会処理において、ユーザ端末１１に口座情報入力画面１６１を表示し、口座情報により照会する取引情報を指定しているが、取引情報の指定の方法は講座情報に限らず、取引番号で指定してもよい。また、上記実施の形態では、指定された口座の本日の取引情報を照会の対象としているが、本日の情報だけでなく、予め定められた期間（例えば、本日と昨日の２日分、本日を含めて３日分、本日を含めて１週間分、本日を含めて１カ月分、本日を含めて２営業日分、本日を含めて３営業日分など）の情報を照会するようにしてもよいし、照会を希望する日付を入力させるようにしてもよい。
【０１５８】
また、上記実施の形態では、ユーザ端末１１に削除画面１７１を表示し、取引番号により削除する取引情報を指定しているが、取引情報の指定の方法は取引番号に限らず、口座情報により指定してもよい。そして、指定された口座情報の取引情報を表示した画面をユーザ端末１１に選択可能な形態（例えば、チェックボックスを取引情報ごとに設ける）で表示させ、表示された取引情報の中からユーザ１に削除する取引情報を指定させるようにしてもよい。なお、指定された口座情報の取引情報としては、予め定められた期間（例えば、本日分のみ、本日と昨日の２日分、本日を含めて３日分、本日を含めて１週間分、本日を含めて１カ月分、本日を含めて２営業日分、本日を含めて３営業日分など）の取引情報としてもよいし、表示させる日付を入力させて指定させるようにしてもよい。
【０１５９】
また、図１４に示すサーバ振込処理において、取引情報を取引情報記憶エリア３２１へ記憶する際に、金額欄６１３に入力されている振込金額と、合計金額欄６２４に入力されている明細情報の合計金額とを比較し、一致している場合にのみ記憶するようにしてもよい。そして、一致しない場合には、その旨を示すメッセージと共に再度取引情報入力画面１５１を表示するデータを送信し、Ｓ６へ戻り、取引情報の受信を待機すればよい。
【０１６０】
上記実施の形態では、サーバ３０と仕訳端末５０とを別の端末としているが、サーバ３０に仕訳端末５０を持たせて取引情報の記憶と仕訳処理を行うようにしてもよい。また、ユーザ端末１１とのやり取りを行い、さらに仕訳処理を行う端末と、それとは別の端末として取引情報を記憶するだけの端末とを接続してサーバ３０を構成してもよい。
【０１６１】
上記実施の形態では、仕訳端末５０で行われた仕訳の結果を仕訳結果画面１８２に表示することでユーザへ仕訳結果を提示したが、仕訳結果は画面表示でなく、所定の形式のデータファイルをダウンロードさせる形で提供したり、電子メールにデータファイルを添付する形で提供したりしてもよい。
【０１６２】
また、上記実施の形態では、金融機関へ支払う振込手数料について言及していないが、振込手数料が発生する際には、その振込の取引情報の明細情報に、番号欄を最終番号に「１」加算した値、項目欄の情報を「振込手数料」として、金額欄を振込手数料金額の値とするデータを追加するようにしてもよい。また、上記実施の形態では、即時の振込のみについて説明しているが、先日付での振込を依頼する予約の振込についても、明細情報を入力できるようにしてもよい。この場合には、金融機関端末４０にて予約が受け付けられた際に、サーバ３０へその旨を示す情報が送信される。そして、サーバ３０では取引情報記憶エリア３２１に記憶されているデータを振込済情報記憶エリア３２２へ記憶する。また、予約の振込が実行された（為替電文が送信された）時点でその旨を示す情報をサーバ３０へ金融機関端末４０が送信するようにして、サーバ３０はその情報を契機として取引情報記憶エリア３２１に記憶されているデータを振込済情報記憶エリア３２２へ記憶するようにしてもよい。
【産業上の利用可能性】
【０１６３】
本発明の振込支援サービスシステム、サーバ、仕訳端末、金融機関端末及びプログラムは、会計取引の仕訳処理を行う必要のある金融機関の振込取引を行う際に有効である。
【図面の簡単な説明】
【０１６４】
【図１】振込支援システム及び会計仕訳システムの機器構成図である。
【図２】ユーザ端末１１の電気的構成を示すブロック図である。
【図３】サーバ３０の電気的構成を示すブロック図である。
【図４】金融機関端末４０の電気的構成を示すブロック図である。
【図５】仕訳端末５０の電気的構成を示すブロック図である。
【図６】振込処理における各機器のやりとりを示すイベントトレース図である。
【図７】図６に示すイベントとレース図の続きである。
【図８】取引情報入力画面１５１のイメージ図である。
【図９】登録内容表示画面１５２のイメージ図である。
【図１０】取得指示画面１５４のイメージ図である。
【図１１】振込画面１５５のイメージ図である。
【図１２】振込結果画面１５６のイメージ図である。
【図１３】取引情報記憶エリア３２１の構成を示す模式図である。
【図１４】サーバ３０で実施されるサーバ振込処理のフローチャートである。
【図１５】金融機関端末４０で実施される金融機関振込処理のフローチャートである。
【図１６】照会処理における各機器のやり取りを示すイベントトレース図である。
【図１７】口座情報入力画面１６１のイメージ図である。
【図１８】振込済情報表示画面１６２のイメージ図である。
【図１９】サーバ照会処理のフローチャートである。
【図２０】金融機関照会処理のフローチャートである。
【図２１】削除処理における各機器のやり取りを示すイベントトレース図である。
【図２２】削除画面１７１のイメージ図である。
【図２３】削除確認画面１７２のイメージ図である。
【図２４】サーバ削除処理のフローチャートである。
【図２５】述語論理式を用いた会計仕訳のデータと処理との関連図である。
【図２６】述語論理式記憶エリア５２１の構成を示す模式図である。
【図２７】仕訳情報記憶エリア５２２の構成を示す模式図である。
【図２８】会計仕訳処理における各機器のやりとりを示すイベントトレース図である。
【図２９】仕訳端末仕訳処理のフローチャートである。
【符号の説明】
【０１６５】
１  ユーザ
２  ユーザ
３  サービス提供会社
４  金融機関
５  インターネット
６  金融機関ネットワーク
１１  ユーザ端末
３０  サーバ
４０  金融機関端末
５０  仕訳端末
１２１  ブラウザプログラム記憶エリア
１５１  取引情報入力画面
１５２  登録内容表示画面
１５３  金融機関ログイン画面
１５４  取得指示画面
１５５  振込画面
１５６  振込結果画面
１６１  口座情報入力画面
１６２  口座情報入力画面
１６２  振込済情報表示画面
１６３  振込済情報表示画面
１７２  削除画面
１７３  削除確認画面
１７４  削除完了画面
１８１  口座情報入力画面
１８２  仕訳結果画面
３０１  ＣＰＵ
３２１  取引情報記憶エリア
３２２  振込済情報記憶エリア
３２３  ユーザアクセス情報記憶エリア
４０１  ＣＰＵ
４２１  口座情報記憶エリア
４２２  口座明細情報記憶エリア
５０１  ＣＰＵ
５２１  述語論理式記憶エリア
５２２  仕訳情報記憶エリア
５２３  ユーザアクセス情報記憶エリア
【図１】
0004819472.tif 000003
【図２】
0004819472.tif 000004
【図３】
0004819472.tif 000005
【図４】
0004819472.tif 000006
【図５】
0004819472.tif 000007
【図６】
0004819472.tif 000008
【図７】
0004819472.tif 000009
【図８】
0004819472.tif 000010
【図９】
0004819472.tif 000011
【図１０】
0004819472.tif 000012
【図１１】
0004819472.tif 000013
【図１２】
0004819472.tif 000014
【図１３】
0004819472.tif 000015
【図１４】
0004819472.tif 000016
【図１５】
0004819472.tif 000017
【図１６】
0004819472.tif 000018
【図１７】
0004819472.tif 000019
【図１８】
0004819472.tif 000020
【図１９】
0004819472.tif 000021
【図２０】
0004819472.tif 000022
【図２１】
0004819472.tif 000023
【図２２】
0004819472.tif 000024
【図２３】
0004819472.tif 000025
【図２４】
0004819472.tif 000026
【図２５】
0004819472.tif 000027
【図２６】
0004819472.tif 000028
【図２７】
0004819472.tif 000029
【図２８】
0004819472.tif 000030
【図２９】
0004819472.tif 000031